(57)【要約】  本発明の実施例は通信方法、端末デバイス及びネットワークデバイスを提供し、リソースの無駄を減少して、リソース使用率を向上させることができ、該通信方法は、端末デバイスが予め設定されたアップリンクシーケンスを送信し、前記アップリンクシーケンスは前記端末デバイスがターゲットネットワークデバイスを確定する需要を有することを指示することに用いられることと、前記端末デバイスは前記ネットワークシステムが前記アップリンクシーケンスに基づき送信した第１ダウンリンクメッセージを受信することと、前記第１ダウンリンクメッセージが第１ネットワークデバイスを識別することに用いられる時、前記端末デバイスは前記第１ダウンリンクメッセージに基づき前記ターゲットネットワークデバイスが前記第１ネットワークデバイスであるのを確定し、前記第１ネットワークデバイスは前記ネットワークシステムが前記端末デバイスの位置情報によって確定したものであることと、を含む。
2019531614.tif 000002
【特許請求の範囲】
【請求項１】
通信方法であって、前記通信方法は、
端末デバイスが予め設定されたアップリンクシーケンスを送信し、前記アップリンクシーケンスは前記端末デバイスがターゲットネットワークデバイスを確定する需要を有することを指示することに用いられること、
前記端末デバイスはネットワークシステムが前記アップリンクシーケンスに基づき送信した第１ダウンリンクメッセージを受信すること、及び  
前記第１ダウンリンクメッセージが第１ネットワークデバイスを識別することに用いられる時、前記端末デバイスは前記第１ダウンリンクメッセージに基づき前記ターゲットネットワークデバイスが前記第１ネットワークデバイスであるのを確定し、前記第１ネットワークデバイスは前記ネットワークシステムが前記端末デバイスの位置情報によって確定したものであることを含むことを特徴とする通信方法。
【請求項２】
前記位置情報は前記ネットワークシステムが受信した前記端末デバイスからの実際の位置情報を含み、前記実際の位置情報は前記端末デバイスの位置を指示することに用いられ、又は
前記位置情報は前記ネットワークシステムが前記ネットワークシステムにおける複数の第２ネットワークデバイスが前記アップリンクシーケンスを受信する受信時刻及び／又は前記ネットワークシステムにおける複数の第３ネットワークデバイスが前記アップリンクシーケンスを受信する経路損失に基づき確定した前記端末デバイスの参照位置情報を含むことを特徴とする請求項１に記載の通信方法。
【請求項３】
前記第１ダウンリンクメッセージは前記端末デバイスが前記ネットワークシステムにおける複数の第４ネットワークデバイスの各第４ネットワークデバイスが送信したダウンリンク基準信号を測定することを指示することに用いられる時、
前記端末デバイスは各第４ネットワークデバイスが送信したダウンリンク基準信号を測定することによって、前記ターゲットネットワークデバイスを確定することを特徴とする請求項１に記載の通信方法。
【請求項４】
前記端末デバイスが予め設定されたアップリンクシーケンスを送信する前に、前記通信方法は、
前記端末デバイスは前記ネットワークシステムにおける少なくとも１つの第５ネットワークデバイスが第１密度で送信した前記ダウンリンク基準信号を受信することを更に含み、
前記端末デバイスが予め設定されたアップリンクシーケンスを送信することは、
前記端末デバイスは触発条件が満たされた時、前記アップリンクシーケンスを送信することを含み、
前記端末デバイスは各第４ネットワークデバイスが送信したダウンリンク基準信号を測定することによって、前記ターゲットネットワークデバイスを確定することは、
前記端末デバイスは各第４ネットワークデバイスが第２密度で送信した前記ダウンリンク基準信号を測定することによって、前記ターゲットネットワークデバイスを確定し、前記第２密度は前記第１密度より大きいことを含むことを特徴とする請求項３に記載の通信方法。
【請求項５】
前記端末デバイスは各第４ネットワークデバイスが送信したダウンリンク基準信号を測定することによって、前記ターゲットネットワークデバイスを確定することは、
前記端末デバイスは各第４ネットワークデバイスが送信したダウンリンク基準信号を測定し、且つ測定レポートを生成することと、
前記端末デバイスは前記ネットワークシステムにおける第６ネットワークデバイスへ前記測定レポートを送信し、前記第６ネットワークデバイスは前記端末デバイスのサービスセルを制御することに用いられることと、
前記端末デバイスは前記第６ネットワークデバイスが前記測定レポートに基づき送信した第２ダウンリンクメッセージを受信し、前記第２ダウンリンクメッセージは第７ネットワークデバイスを識別することに用いられることと、
前記端末デバイスは前記第２ダウンリンクメッセージに基づき前記第７ネットワークデバイスが前記ターゲットネットワークデバイスであることを確定することと、を含むことを特徴とする請求項３又は４に記載の通信方法。
【請求項６】
前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられ、
前記端末デバイスは各第４ネットワークデバイスが送信したダウンリンク基準信号を測定することによって、前記ターゲットネットワークデバイスを確定することは、
前記端末デバイスが前記リソース情報及び／又はパラメータ情報によって各第４ネットワークデバイスが送信したダウンリンク基準信号を測定し、前記ターゲットネットワークデバイスを確定するようにすることを含むことを特徴とする請求項３〜５のいずれかに記載の通信方法。  
【請求項７】
前記第１ダウンリンクメッセージは前記端末デバイスを指示するための指示情報を含み、アイドル状態の前記端末デバイスは前記指示情報によって前記第１ダウンリンクメッセージが前記端末デバイスに属することを確定するようにすることを特徴とする請求項１〜６のいずれかに記載の通信方法。
【請求項８】
前記指示情報は前記アップリンクシーケンス又は前記アップリンクシーケンスのインデックスを含むことを特徴とする請求項７に記載の通信方法。
【請求項９】
前記端末デバイスが前記ネットワークシステムが前記アップリンクシーケンスに基づき送信した第１ダウンリンクメッセージを受信する前に、前記通信方法は、
前記端末デバイスは前記端末デバイスの位置を指示するための実際の位置情報を送信し、前記指示情報は前記実際の位置情報を含むこと、及び／又は
前記端末デバイスは前記端末デバイスを識別するための識別情報を送信し、前記指示情報は前記識別情報を含むことを更に含むことを特徴とする請求項７又は８に記載の通信方法。
【請求項１０】
前記位置情報は実際の位置情報を含み、前記通信方法は、前記端末デバイスは前記端末デバイスの位置を指示するための実際の位置情報を送信し、前記ネットワークシステムは前記実際の位置情報に基づき前記ターゲットネットワークデバイスが前記第１ネットワークデバイスであることを確定し又は前記端末デバイスがダウンリンク基準信号を測定する必要があることを確定するようにすることを更に含むことを特徴とする請求項１〜８のいずれかに記載の通信方法。
【請求項１１】
前記端末デバイスが予め設定されたアップリンクシーケンスを送信することは、
前記端末デバイスは触発条件が満たされた時、前記アップリンクシーケンスを送信することを含み、前記触発条件は、
前記ネットワークシステムにおける第６ネットワークデバイスが送信したダウンリンク信号を受信する受信電力は電力閾値より小さいという条件、前記第６ネットワークデバイスは前記端末デバイスのサービスセルのネットワークデバイス又は前記端末デバイスの滞在セルのネットワークデバイスを含むという条件、及び
前記第６ネットワークデバイスのプリセット領域に位置するという条件の中の少なくとも１種を含むことを特徴とする請求項１〜１０のいずれかに記載の通信方法。
【請求項１２】
前記通信方法は、
前記端末デバイスは前記アップリンクシーケンスの送信電力を指示するための電力情報を受信することを更に含み、
前記端末デバイスが予め設定されたアップリンクシーケンスを送信することは、
前記端末デバイスは前記電力情報に基づき前記アップリンクシーケンスを送信することを含むことを特徴とする請求項１〜１１のいずれかに記載の通信方法。
【請求項１３】
通信方法であって、前記通信方法は、
ネットワークデバイスは端末デバイスが送信した予め設定されたアップリンクシーケンスを受信し、前記アップリンクシーケンスは前記端末デバイスがターゲットネットワークデバイスを確定する需要を有することを指示することに用いられることと、
前記ネットワークデバイスは前記アップリンクシーケンスに基づき前記端末デバイスへ第１ダウンリンクメッセージを送信することを確定し、前記ネットワークデバイスが前記端末デバイスの位置情報によってターゲットネットワークデバイスが第１ネットワークデバイスであることを確定した時に、前記第１ダウンリンクメッセージは前記第１ネットワークデバイスを識別することに用いられることと、
前記ネットワークデバイスは前記第１ダウンリンクメッセージを送信し、前記端末デバイスは前記第１ダウンリンクメッセージに基づき前記ターゲットネットワークデバイスが前記第１ネットワークデバイスであることを確定するようにすることと、を含むことを特徴とする通信方法。
【請求項１４】
前記通信方法は、
前記ネットワークデバイスが前記端末デバイスの位置情報を取得することを更に含むことを特徴とする請求項１３に記載の通信方法。
【請求項１５】
前記位置情報は前記端末デバイスが送信した前記端末デバイスの位置を指示するための実際の位置情報を含むことを特徴とする請求項１４に記載の通信方法。
【請求項１６】
前記位置情報は前記ネットワークデバイスが複数の第２ネットワークデバイスが前記アップリンクシーケンスを受信する受信時刻及び／又は複数の第３ネットワークデバイスが前記アップリンクシーケンスを受信する経路損失を取得することによって確定した前記端末デバイスの参照位置情報を含むことを特徴とする請求項１４に記載の通信方法。
【請求項１７】
前記ネットワークデバイスは前記端末デバイスがダウンリンク基準信号を測定する必要があることを確定した時に、前記第１ダウンリンクメッセージは前記端末デバイスが複数の第４ネットワークデバイスの各第４ネットワークデバイスが送信したダウンリンク基準信号を測定することを指示することに用いられることを特徴とする請求項１３に記載の通信方法。
【請求項１８】
前記複数の第４ネットワークデバイスは前記ネットワークデバイスを含み、前記通信方法は、
前記ネットワークデバイスが前記ダウンリンク基準信号を送信することを更に含むことを特徴とする請求項１７に記載の通信方法。
【請求項１９】
前記ネットワークデバイスが前記端末デバイスが送信した前記予め設定されたアップリンクシーケンスを受信する前に、前記通信方法は、
前記ネットワークデバイスが第１密度で前記ダウンリンク基準信号を送信することを更に含み、
前記ネットワークデバイスが前記ダウンリンク基準信号を送信することは、
前記ネットワークデバイスが第２密度で前記ダウンリンク基準信号を送信し、前記第２密度は前記第１密度より大きいことを含むことを特徴とする請求項１８に記載の通信方法。
【請求項２０】
前記通信方法は、
前記ネットワークデバイスは前記端末デバイスが送信した測定レポートを受信し、前記測定レポートは前記端末デバイスが各第４ネットワークデバイスの送信した前記ダウンリンク基準信号を測定する測定結果を指示することに用いられることと、
前記ネットワークデバイスは前記測定レポートに基づき前記ネットワークシステムにおける第７ネットワークデバイスが前記ターゲットネットワークデバイスであることを確定することと、
前記ネットワークデバイスは前記端末デバイスへ第２ダウンリンクメッセージを送信し、前記第２ダウンリンクメッセージは前記第７ネットワークデバイスを識別することに用いられ、前記端末デバイスは前記第１ダウンリンクメッセージに基づき前記第７ネットワークデバイスが前記ターゲットネットワークデバイスであることを確定するようにすることと、を更に含むことを特徴とする請求項１８又は１９に記載の通信方法。
【請求項２１】
前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられることを特徴とする請求項１７〜２０のいずれかに記載の通信方法。
【請求項２２】
前記第１ダウンリンクメッセージは前記端末デバイスを指示するための指示情報を含み、アイドル状態の前記端末デバイスは前記指示情報によって前記第１ダウンリンクメッセージが前記端末デバイスに属することを確定するようにすることを特徴とする請求項１３〜２１のいずれかに記載の通信方法。
【請求項２３】
前記指示情報は前記アップリンクシーケンス又は前記アップリンクシーケンスのインデックスを含むことを特徴とする請求項２２に記載の通信方法。
【請求項２４】
前記通信方法は、
前記ネットワークデバイスは前記端末デバイスが送信した前記端末デバイスの位置を指示するための実際の位置情報を受信し、前記指示情報は前記実際の位置情報を含むこと、及び／又は
前記ネットワークデバイスは前記端末デバイスが送信した前記端末デバイスを識別するための識別情報を受信し、前記指示情報が前記識別情報を含むこと、を更に含むことを特徴とする請求項２２又は２３に記載の通信方法。
【請求項２５】
前記通信方法は、
前記ネットワークデバイスが前記端末デバイスへ前記アップリンクシーケンスの送信電力を指示するための電力情報を送信することを更に含むことを特徴とする請求項１３〜２４のいずれかに記載の通信方法。
【請求項２６】
端末デバイスであって、前記端末デバイスは、
予め設定されたアップリンクシーケンスを送信することに用いられ、前記アップリンクシーケンスは前記端末デバイスがターゲットネットワークデバイスを確定する需要を有することを指示することに用いられる送信モジュール、
ネットワークシステムが前記アップリンクシーケンスに基づき送信した第１ダウンリンクメッセージを受信するための受信モジュール、及び  
前記第１ダウンリンクメッセージが第１ネットワークデバイスを識別することに用いられる時、前記第１ダウンリンクメッセージに基づき前記ターゲットネットワークデバイスが前記第１ネットワークデバイスであることを確定することに用いられ、前記第１ネットワークデバイスは前記ネットワークシステムが前記端末デバイスの位置情報によって確定したものである処理モジュールを備えることを特徴とする端末デバイス。
【請求項２７】
前記位置情報は前記ネットワークシステムが受信した前記端末デバイスからの実際の位置情報を含み、前記実際の位置情報は前記端末デバイスの位置を指示することに用いられ、又は
前記位置情報は前記ネットワークシステムが前記ネットワークシステムにおける複数の第２ネットワークデバイスが前記アップリンクシーケンスを受信する受信時刻及び／又は前記ネットワークシステムにおける複数の第３ネットワークデバイスが前記アップリンクシーケンスを受信する経路損失に基づき確定した前記端末デバイスの参照位置情報を含むことを特徴とする請求項２６に記載の端末デバイス。
【請求項２８】
前記第１ダウンリンクメッセージが前記端末デバイスが前記ネットワークシステムにおける複数の第４ネットワークデバイスの各第４ネットワークデバイスが送信したダウンリンク基準信号を測定することを指示することに用いられる時、
前記処理モジュールは具体的に、各第４ネットワークデバイスが送信したダウンリンク基準信号を測定することによって、前記ターゲットネットワークデバイスを確定することに用いられることを特徴とする請求項２６に記載の端末デバイス。
【請求項２９】
前記送信モジュールが予め設定されたアップリンクシーケンスを送信する前、前記受信モジュールは更に、前記ネットワークシステムにおける複数の第５ネットワークデバイスが第１密度で送信した前記ダウンリンク基準信号を受信することに用いられ、
前記送信モジュールは具体的に、触発条件が満たされた時、前記アップリンクシーケンスを送信することに用いられ、
前記処理モジュールは具体的に、各第４ネットワークデバイスが第２密度で送信した前記ダウンリンク基準信号を測定することによって、前記ターゲットネットワークデバイスを確定することに用いられ、前記第２密度は前記第１密度より大きいことを特徴とする請求項２８に記載の端末デバイス。
【請求項３０】
前記処理モジュールは更に、
各第４ネットワークデバイスが送信したダウンリンク基準信号を測定し、且つ測定レポートを生成することに用いられ、
前記送信モジュールは更に、前記ネットワークシステムにおける第６ネットワークデバイスへ前記測定レポートを送信することに用いられ、前記第６ネットワークデバイスは前記端末デバイスのサービスセルのネットワークデバイスを含み、
前記受信モジュールは更に、前記第６ネットワークデバイスが前記測定レポートに基づき送信した第２ダウンリンクメッセージを受信することに用いられ、前記第２ダウンリンクメッセージは第７ネットワークデバイスを識別することに用いられ、
前記処理モジュールは具体的に、前記第２ダウンリンクメッセージに基づき前記第７ネットワークデバイスが前記ターゲットネットワークデバイスであることを確定することに用いられることを特徴とする請求項２６又は２９に記載の端末デバイス。
【請求項３１】
前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられ、
前記処理モジュールは具体的に、前記リソース情報及び／又はパラメータ情報によって各第４ネットワークデバイスが送信したダウンリンク基準信号を測定し、前記ターゲットネットワークデバイスを確定するようにすることに用いられることを特徴とする請求項２８〜３０のいずれかに記載の端末デバイス。  
【請求項３２】
前記第１ダウンリンクメッセージは前記端末デバイスを指示するための指示情報を含み、アイドル状態の前記端末デバイスは前記指示情報によって前記第１ダウンリンクメッセージが前記端末デバイスに属することを確定するようにすることを特徴とする請求項２６〜３１のいずれかに記載の端末デバイス。
【請求項３３】
前記指示情報は前記アップリンクシーケンス又は前記アップリンクシーケンスのインデックスを含むことを特徴とする請求項３２に記載の端末デバイス。
【請求項３４】
前記受信モジュールが前記ネットワークシステムが前記アップリンクシーケンスに基づき送信した第１ダウンリンクメッセージを受信する前に、前記送信モジュールは更に、
前記端末デバイスの位置を指示するための実際の位置情報を送信することに用いられ、前記位置情報は前記実際の位置情報を含むこと、及び／又は
前記端末デバイスを識別するための識別情報を送信することに用いられ、前記指示情報は前記識別情報を含むこと、を特徴とする請求項３２又は３３に記載の端末デバイス。  
【請求項３５】
前記送信モジュールは更に、
前記端末デバイスの位置を指示するための実際の位置情報を送信し、前記ネットワークシステムは前記実際の位置情報に基づき前記ターゲットネットワークデバイスが前記第１ネットワークデバイスであることを確定し又は前記端末デバイスがダウンリンク基準信号を測定する必要があることを確定することに用いられることを特徴とする請求項２６〜３３のいずれかに記載の端末デバイス。
【請求項３６】
前記送信モジュールは具体的に、触発条件が満たされた時、前記アップリンクシーケンスを送信することに用いられ、前記触発条件は、
受信モジュールが前記ネットワークシステムにおける第６ネットワークデバイスが送信したダウンリンク信号を受信する受信電力は電力閾値より小さいという条件、前記第６ネットワークデバイスは前記端末デバイスのサービスセルのネットワークデバイス又は前記端末デバイスの滞在セルのネットワークデバイスを含むという条件、  前記端末デバイスは前記第６ネットワークデバイスのプリセット領域に位置するという条件の中の少なくとも１種を含むことを特徴とする請求項２６〜３５のいずれかに記載の端末デバイス。
【請求項３７】
前記受信モジュールは更に、前記アップリンクシーケンスの送信電力を指示するための電力情報を受信することに用いられ、
前記送信モジュールは具体的に、前記電力情報に基づき前記予め設定されたアップリンクシーケンスを送信することに用いられることを特徴とする請求項２６〜３６のいずれかに記載の端末デバイス。
【請求項３８】
ネットワークデバイスであって、前記ネットワークデバイスは、
端末デバイスが送信した予め設定されたアップリンクシーケンスを受信することに用いられ、前記アップリンクシーケンスは前記端末デバイスがターゲットネットワークデバイスを確定する需要を有することを指示することに用いられる受信モジュール、
前記アップリンクシーケンスに基づき前記端末デバイスへ第１ダウンリンクメッセージを送信することを確定し、前記処理モジュールが前記端末デバイスの位置情報によってターゲットネットワークデバイスが第１ネットワークデバイスであることを確定した時に、前記第１ダウンリンクメッセージは前記第１ネットワークデバイスを識別することに用いられる処理モジュール、
前記第１ダウンリンクメッセージを送信し、前記端末デバイスは前記第１ダウンリンクメッセージに基づき前記ターゲットネットワークデバイスが前記第１ネットワークデバイスであることを確定するようにする送信モジュールを備えることを特徴とするネットワークデバイス。
【請求項３９】
前記処理モジュールは更に、前記端末デバイスの位置情報を取得することに用いられることを特徴とする請求項３８に記載のネットワークデバイス。
【請求項４０】
前記処理モジュールは具体的に、前記端末デバイスが送信した前記端末デバイスの実際の位置情報を取得することに用いられ、前記実際の位置情報は前記端末デバイスの位置を指示することに用いられ、前記位置情報は前記実際の位置情報を含むことを特徴とする請求項３９に記載のネットワークデバイス。
【請求項４１】
前記処理モジュールは具体的に、複数の第２ネットワークデバイスが前記アップリンクシーケンスを受信する受信時刻及び／又は複数の第３ネットワークデバイスが前記アップリンクシーケンスを受信する経路損失を取得することによって、前記端末デバイスの参照位置情報を確定し、前記位置情報は前記参照位置情報を含むことに用いられることを特徴とする請求項３９に記載のネットワークデバイス。
【請求項４２】
前記処理モジュールが前記端末デバイスがダウンリンク基準信号を測定する必要があることを確定した時、前記第１ダウンリンクメッセージは前記端末デバイスが複数の第４ネットワークデバイスの各第４ネットワークデバイスが送信したダウンリンク基準信号を測定することを指示することに用いられることを特徴とする請求項３８に記載のネットワークデバイス。
【請求項４３】
前記複数の第４ネットワークデバイスは前記ネットワークデバイスを含み、
前記送信モジュールは更に、前記ダウンリンク基準信号を送信することに用いられることを特徴とする請求項４２に記載のネットワークデバイス。
【請求項４４】
前記受信モジュールが前記端末デバイスが送信した前記予め設定されたアップリンクシーケンスを受信する前に、前記送信モジュールは更に、第１密度で前記ダウンリンク基準信号を送信することに用いられ、
前記受信モジュールが前記端末デバイスが送信した前記予め設定されたアップリンクシーケンスを受信した後に、前記送信モジュールは具体的に、第２密度で前記ダウンリンク基準信号を送信することに用いられ、前記第２密度は前記第１密度より大きいことを特徴とする請求項４３に記載のネットワークデバイス。
【請求項４５】
前記受信モジュールは更に、前記端末デバイスが送信した測定レポートを受信することに用いられ、前記測定レポートは前記端末デバイスが各第４ネットワークデバイスの送信した前記ダウンリンク基準信号を測定する測定結果を指示することに用いられ、
前記処理モジュールは具体的に、前記測定レポートに基づき前記ネットワークシステムにおける第７ネットワークデバイスが前記ターゲットネットワークデバイスであることを確定することに用いられ、
前記送信モジュールは更に、前記端末デバイスへ第２ダウンリンクメッセージを送信することに用いられ、前記第２ダウンリンクメッセージは前記第７ネットワークデバイスを識別することに用いられ、前記端末デバイスは前記第１ダウンリンクメッセージに基づき前記第７ネットワークデバイスが前記ターゲットネットワークデバイスであることを確定するようにすることを特徴とする請求項４３又は４４に記載のネットワークデバイス。
【請求項４６】
前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられることを特徴とする請求項４２〜４５のいずれかに記載のネットワークデバイス。
【請求項４７】
前記第１ダウンリンクメッセージは前記端末デバイスを指示するための指示情報を含み、アイドル状態の前記端末デバイスは前記指示情報によって前記第１ダウンリンクメッセージが前記端末デバイスに属することを確定するようにすることを特徴とする請求項３８〜４６のいずれかに記載のネットワークデバイス。
【請求項４８】
前記指示情報は前記アップリンクシーケンス又は前記アップリンクシーケンスのインデックスを含むことを特徴とする請求項４７に記載のネットワークデバイス。
【請求項４９】
前記受信モジュールは更に、  
前記端末デバイスが送信した前記端末デバイスの位置を指示するための実際の位置情報を受信する時、前記指示情報は前記実際の位置情報を含むこと、又は
前記端末デバイスが送信した前記端末デバイスを識別するための識別情報を受信する時、前記指示情報は前記識別情報を含むことに用いられることを特徴とする請求項４７又は４８に記載のネットワークデバイス。
【請求項５０】
前記送信モジュールは更に、前記端末デバイスへ前記アップリンクシーケンスの送信電力を指示するための電力情報を送信することに用いられることを特徴とする請求項３８〜４９のいずれかに記載のネットワークデバイス。
【発明の詳細な説明】
【技術分野】
【０００１】
本発明は、通信分野に関し、且つより具体的に、通信方法、端末デバイス及びネットワークデバイスに関する。
【背景技術】
【０００２】
通信システムにおいて、基準信号（Ｒｅｆｅｒｅｎｃｅ  Ｓｉｇｎａｌ）は送信側により送信された１組の既知信号であり、受信側がモビリティ管理の測定を行うことに用いられる。従来の長期的な進化（Ｌｏｎｇ  Ｔｅｒｍ  Ｅｖｏｌｕｔｉｏｎ、ＬＴＥ）システムに多種のダウンリンク基準信号、例えば、セル固有基準信号（Ｃｅｌｌ−ｓｐｅｃｉｆｉｃ  Ｒｅｆｅｒｅｎｃｅ  Ｓｉｇｎａｌ、ＣＲＳ）及びチャネル状態情報基準信号  （Ｃｈａｎｎｅｌ  Ｓｔａｔｅ  Ｉｎｆｏｒｍａｔｉｏｎ−  Ｒｅｆｅｒｅｎｃｅ  Ｓｉｇｎａｌ、ＣＳＩ−ＲＳ）等が含まれる。
【０００３】
従来のＬＴＥシステムにおいて、端末デバイスのターゲットネットワークデバイスの確定（即ち端末デバイスがモビリティ管理を行うこと）はダウンリンク基準信号が測定及び判決を行う測定メカニズムに基づいたことである。ネットワークデバイスは一定の周期でシステム帯域幅全体でダウンリンク基準信号を送信し、端末デバイスは受信したダウンリンク基準信号を測定し、端末デバイス又はサービスセルのネットワークデバイスは測定結果に基づき前記ターゲットネットワークデバイスを確定するようにする。例えば、アイドル状態にある端末デバイスは複数のネットワークデバイスにおける各ネットワークデバイスが一定の周期で送信したダウンリンク基準信号の基準信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）及び／又は基準信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）を測定し、Ｓ基準によってターゲットネットワークデバイスを確定する。また例えば、サービスセルのネットワークデバイスは測定設定を端末デバイスに送信し、測定設定は測定対象を含み、端末は測定配置に基づき、複数のネットワークデバイスが一定の周期で送信したダウンリンク基準信号を測定し、且つサービスセルのネットワークデバイスへ測定結果を報告し、サービスセルのネットワークデバイスは前記ターゲットネットワークデバイスを確定するようにする。
【０００４】
該測定メカニズムは大量のダウンリンク基準信号の無意味な伝送をもたらし、リソースの無駄を引き起こす。
【発明の概要】
【発明が解決しようとする課題】
【０００５】
本発明の実施例は通信方法、端末デバイス及びネットワークデバイスを提供し、ダウンリンク基準信号の無意味な伝送を減少して、リソース使用率を向上させることができる。
【０００６】
第１態様は、通信方法を提供し、前記通信方法は、端末デバイスは予め設定されたアップリンクシーケンスを送信し、前記アップリンクシーケンスは前記端末デバイスがターゲットネットワークデバイスを確定する需要を有することを指示することに用いられることと、前記端末デバイスは前記ネットワークシステムが前記アップリンクシーケンスに基づき送信した第１ダウンリンクメッセージを受信することと、前記第１ダウンリンクメッセージが第１ネットワークデバイスを識別することに用いられる時、前記端末デバイスは前記第１ダウンリンクメッセージに基づき前記ターゲットネットワークデバイスが前記第１ネットワークデバイスであるのを確定し、前記第１ネットワークデバイスは前記ネットワークシステムが前記端末デバイスの位置情報によって確定されたものであることと、を含む。
【０００７】
該技術的解決手段において、端末デバイスは周期的にネットワークデバイスが送信したダウンリンク基準信号を受信する必要がなく、端末デバイスは自分の必要な場合にはネットワークシステムへアップリンクシーケンスを送信することができ、ネットワークシステムは端末デバイスの位置情報に基づき端末デバイスのためにターゲットネットワークデバイスを確定することができる場合に、第１ダウンリンクメッセージを送信することによって端末デバイスに知らせ、リソース使用率を向上させ、リソースの無駄を減少することができる。更に、該位置情報に基づいたターゲットネットワークデバイスの確定メカニズムは簡単で操作しやすく、従来技術との互換性が良い。
【０００８】
第１態様の可能な実現形態において、前記位置情報は前記ネットワークシステムが受信した前記端末デバイスからの実際の位置情報を含み、前記実際の位置情報は前記端末デバイスの位置を指示することに用いられ、又は
前記位置情報は前記ネットワークシステムが前記ネットワークシステムにおける複数の第２ネットワークデバイスが前記アップリンクシーケンスを受信する受信時刻及び／又は前記ネットワークシステムにおける複数の第３ネットワークデバイスが前記アップリンクシーケンスを受信する経路損失に基づき確定した前記端末デバイスの参照位置情報を含む。
【０００９】
該技術的解決手段において、位置情報はネットワークシステムが多種の方法によって取得したものであり、該位置情報の取得方法は柔軟であり、ネットワークシステムが端末デバイスのためにターゲットネットワークデバイスを確定する確率を向上させることができ、該技術的解決手段は操作が柔軟で実現しやすい。
【００１０】
第１態様の可能な実現形態において、前記通信方法は、前記端末デバイスは前記端末デバイスの位置を指示するための実際の位置情報を送信し、それによって、前記ネットワークシステムは前記実際の位置情報に基づき前記ターゲットネットワークデバイスが前記第１ネットワークデバイスであることを確定し又は前記端末デバイスがダウンリンク基準信号を測定する必要があることを確定することを更に含む。
【００１１】
考案において端末デバイスは該予め設定されたアップリンクシーケンスを送信する時に、該アップリンクシーケンスに伴って実際の位置情報を送信することができ、ネットワークシステムは直接に実際の位置情報に基づき関連操作を行うことができるようにする。
【００１２】
第１態様の可能な実現形態において、前記第１ダウンリンクメッセージが前記端末デバイスが前記ネットワークシステムにおける複数の第４ネットワークデバイスの各第４ネットワークデバイスの送信したダウンリンク基準信号を測定するのを指示することに用いられる時、前記端末デバイスは各第４ネットワークデバイスが送信したダウンリンク基準信号を測定することによって、前記ターゲットネットワークデバイスを確定する。
【００１３】
該技術的解決手段において、依然としてダウンリンク基準信号の測定メカニズムを利用してターゲットネットワークデバイスを取得するが、ネットワークシステムは端末デバイスが送信したアップリンクシーケンスを受信した後、複数の第４ネットワークデバイスがダウンリンク基準信号を送信することを確定しなければ、複数の第４ネットワークデバイスはダウンリンク基準信号を送信しなく又は密集なダウンリンク基準信号を送信しなく、システムリソースを節約して、リソース使用率を向上させることができる。
【００１４】
第１態様の可能な実現形態において、前記端末デバイスが予め設定されたアップリンクシーケンスを送信する前に、前記通信方法は、前記端末デバイスは前記ネットワークシステムにおける複数の第５ネットワークデバイスが第１密度で送信した前記ダウンリンク基準信号を受信することを更に含み、前記端末デバイスが予め設定されたアップリンクシーケンスを送信することは、前記端末デバイスは触発条件が満たされた時、前記アップリンクシーケンスを送信することを含み、前記端末デバイスは各第４ネットワークデバイスが送信したダウンリンク基準信号を測定することによって、前記ターゲットネットワークデバイスを確定することは、前記端末デバイスは各第４ネットワークデバイスが第２密度で送信した前記ダウンリンク基準信号を測定することによって、前記ターゲットネットワークデバイスを確定することを含み、前記第２密度は前記第１密度より大きい。
【００１５】
該技術的解決手段において、依然として基準信号に基づいた測定メカニズムを利用してターゲットネットワークデバイスを取得したが、システムにおけるネットワークデバイスはまずスパースダウンリンク基準信号を送信し、複数の第４ネットワークデバイスがダウンリンク基準信号を送信することを確定しなければ、複数の第４ネットワークデバイスは密集なダウンリンク基準信号を送信しなく、システムリソースを節約して、リソース使用率を向上させることができる。
【００１６】
第１態様の可能な実現形態において、前記端末デバイスは各第４ネットワークデバイスが送信したダウンリンク基準信号を測定することによって、前記ターゲットネットワークデバイスを確定することは、前記端末デバイスは各第４ネットワークデバイスが送信したダウンリンク基準信号を測定し、且つ測定レポートを生成することと、前記端末デバイスは前記ネットワークシステムにおける第６ネットワークデバイスへ前記測定レポートを送信し、前記第６ネットワークデバイスは前記端末デバイスのサービスセルのネットワークデバイスを含むことと、前記端末デバイスは前記第６ネットワークデバイスが前記測定レポートに基づき送信した第２ダウンリンクメッセージを受信し、前記第２ダウンリンクメッセージは第７ネットワークデバイスを識別することに用いられることと、前記端末デバイスは前記第２ダウンリンクメッセージに基づき前記第７ネットワークデバイスが前記ターゲットネットワークデバイスであることを確定することと、を含む。
【００１７】
該技術的解決手段において、端末デバイスはネットワークシステムへ測定レポートを報告することができ、それによって、ネットワークシステムは測定レポートに基づき前記端末デバイスのためにターゲットネットワークデバイスを確定できる。
【００１８】
第１態様の可能な実現形態において、前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられ、前記端末デバイスは各第４ネットワークデバイスが送信したダウンリンク基準信号を測定することによって、前記ターゲットネットワークデバイスを確定することは、前記端末デバイスが前記リソース情報及び／又はパラメータ情報によって各第４ネットワークデバイスが送信したダウンリンク基準信号を測定し、それによって、前記ターゲットネットワークデバイスを確定することを含む。  
【００１９】
考案において、端末デバイスはリソース情報及び／又はパラメータ情報に基づき前記ダウンリンク基準信号を測定することができ、該技術的解決手段の柔軟性は高い。
【００２０】
第１態様の可能な実現形態において、前記第１ダウンリンクメッセージは前記端末デバイスを指示するための指示情報を含み、アイドル状態の前記端末デバイスは前記指示情報によって前記第１ダウンリンクメッセージが前記端末デバイスに属することを確定するようにする。
【００２１】
該技術的解決手段において、アイドル状態の前記端末デバイスは指示情報によって自分に属する第１ダウンリンクメッセージを確定することができ、それで該技術的解決手段は実行可能となる。
【００２２】
第１態様の可能な実現形態において、前記指示情報は前記アップリンクシーケンス又は前記アップリンクシーケンスのインデックスを含む。
【００２３】
第１態様の可能な実現形態において、前記端末デバイスが前記ネットワークシステムが前記アップリンクシーケンスに基づき送信した第１ダウンリンクメッセージを受信する前に、前記通信方法は、前記端末デバイスは前記端末デバイスの位置を指示するための実際の位置情報及び／又は前記端末デバイスを識別するための識別情報を送信することと、前記端末デバイスが前記実際の位置情報を送信する時に、前記指示情報は前記実際の位置情報を含み、又は前記端末デバイスが前記識別情報を送信する時に、前記指示情報は前記識別情報を含むことと、を更に含む。
【００２４】
該技術的解決手段において、指示情報は複数種類の情報を含んでもよく、それで該技術的解決手段の実行可能性を強化させることができる。
【００２５】
選択肢として、第１態様の可能な実現形態において、端末デバイスが前記端末デバイスの位置を指示するための位置情報及び／又は前記端末デバイスを識別するための識別情報を送信することは、前記端末デバイスがアップリンクメッセージを送信し、前記アップリンクメッセージが前記位置情報及び／又は前記識別情報を含むことを含む。
【００２６】
該技術的解決手段において、端末デバイスは単一のメッセージによって位置情報及び／又は前記識別情報を送信することができ、シグナリングのオーバーヘッドを減少できる。
【００２７】
選択肢として、第１態様の可能な実現形態において、前記端末デバイスがアップリンクメッセージを送信することは、前記端末デバイスは時間領域オフセット及び／又は周波数領域オフセットに基づき前記アップリンクメッセージを送信することを含み、前記時間領域オフセットは前記予め設定されたアップリンクシーケンスと前記アップリンクメッセージの占用した時間領域リソースのオフセットを含み、前記周波数領域オフセットは前記予め設定されたアップリンクシーケンスと前記アップリンクメッセージの占用した周波数領域リソースのオフセットを含む。
【００２８】
該技術的解決手段において、端末デバイスは時間領域オフセット及び／又は周波数領域オフセットに従って前記アップリンクメッセージを送信することができ、前記予め設定されたアップリンクシーケンスの占用したリソースとアップリンクメッセージの占用したリソースに対応関係を持たせるようにして、これにより前記予め設定されたアップリンクシーケンスを受信したネットワークデバイスは該予め設定されたアップリンクシーケンスを受信した後に、同じ端末デバイスが送信したアップリンクメッセージを、対応するリソースで受信することができる。
【００２９】
第１態様の可能な実現形態において、前記端末デバイスが予め設定されたアップリンクシーケンスを送信することは、前記端末デバイスは触発条件が満たされた時、前記アップリンクシーケンスを送信することを含み、前記触発条件は、前記ネットワークシステムにおける第６ネットワークデバイスが送信したダウンリンク信号を受信する受信電力が電力閾値より小さいという条件、前記第６ネットワークデバイスが前記端末デバイスのサービスセルのネットワークデバイス又は前記端末デバイスの滞在セルのネットワークデバイスを含むという条件、前記第６ネットワークデバイスのプリセット領域に位置するという条件の中の少なくとも１つを含む。
【００３０】
該技術的解決手段において、端末デバイスは自分の需要に基づいてアップリンクシーケンスを送信することができ、それで端末デバイスのユーザーエクスペリエンスを向上させることができる。
【００３１】
第１態様の可能な実現形態において、前記通信方法は、前記端末デバイスが前記アップリンクシーケンスの送信電力を指示するための電力情報を受信することを更に含み、前記端末デバイスが予め設定されたアップリンクシーケンスを送信することは、前記端末デバイスが前記電力情報に基づき前記アップリンクシーケンスを送信することを含む。
【００３２】
該技術的解決手段において、端末デバイスは電力情報に基づきアップリンクシーケンスを送信することができ、ネットワークシステムは端末デバイスの送信電力を知り、これにより前記アップリンクシーケンスを受信する経路損失を確定できるようにする。
【００３３】
第２態様は、通信方法を提供し、前記通信方法は、ネットワークデバイスは端末デバイスの送信した予め設定されたアップリンクシーケンスを受信し、前記アップリンクシーケンスは前記端末デバイスがターゲットネットワークデバイスを確定する需要を有することを指示することに用いられることと、前記ネットワークデバイスは前記アップリンクシーケンスに基づき前記端末デバイスへ第１ダウンリンクメッセージを送信することを確定し、前記ネットワークデバイスが前記端末デバイスの位置情報によってターゲットネットワークデバイスが前記第１ネットワークデバイスであることを確定する時に、前記第１ダウンリンクメッセージは前記第１ネットワークデバイスを識別することに用いられることと、前記ネットワークデバイスは前記第１ダウンリンクメッセージを送信し、それによって、前記端末デバイスは前記第１ダウンリンクメッセージに基づき前記ターゲットネットワークデバイスが前記第１ネットワークデバイスであることを確定することと、を含む。
【００３４】
該技術的解決手段において、ネットワークデバイスは端末デバイスが必要とする時に、端末デバイスの位置情報に基づきターゲットネットワークデバイスを確定することができる場合、ネットワークデバイスは端末デバイスの位置情報に基づいて端末デバイスのためにターゲットネットワークデバイスを確定することができ、該技術的解決手段ではネットワークデバイスが周期的にダウンリンク基準信号又は密集なダウンリンク基準信号を送信することを必要とせず、システムリソースを節約して、リソース使用率を向上させることができる。
【００３５】
選択肢として、第２態様の可能な実現形態において、前記アップリンクシーケンスは複数のネットワークデバイスの既知のアップリンクシーケンスを含む。
【００３６】
第２態様の可能な実現形態において、前記通信方法は、前記ネットワークデバイスは前記端末デバイスの位置情報を取得することを更に含む。
【００３７】
第２態様の可能な実現形態において、前記ネットワークデバイスは前記端末デバイスの位置情報を取得することは、前記ネットワークデバイスは前記端末デバイスが送信した前記端末デバイスの実際の位置情報を受信し、前記実際の位置情報は前記端末デバイスの位置を指示することに用いられ、前記位置情報は前記実際の位置情報を含むことを含む。
【００３８】
該技術的解決手段において、ネットワークデバイスは直接に前記端末デバイスが送信した実際の位置情報を受信することができ、該技術的解決手段は操作が簡単で実現しやすい。
【００３９】
第２態様の可能な実現形態において、前記ネットワークデバイスは前記端末デバイスの位置情報を取得することは、前記ネットワークデバイスは複数の第２ネットワークデバイスが前記アップリンクシーケンスを受信する受信時刻及び／又は複数の第３ネットワークデバイスが前記アップリンクシーケンスを受信する経路損失を取得することによって、前記端末デバイスの参照位置情報を確定し、前記位置情報は前記参照位置情報を含むことを含む。
【００４０】
該技術的解決手段において、ネットワークデバイスは多種の方法によって前記端末デバイスの参照位置情報を取得することができ、該技術的解決手段の実行可能性を向上させる。
【００４１】
第２態様の可能な実現形態において、前記ネットワークデバイスは前記端末デバイスがダウンリンク基準信号を測定する必要があることを確定した時に、前記第１ダウンリンクメッセージは前記端末デバイスが複数の第４ネットワークデバイスの各第４ネットワークデバイスが送信したダウンリンク基準信号を測定することを指示することに用いられる。
【００４２】
該技術的解決手段において、ターゲットネットワークデバイスの確定は基準信号に基づいた測定メカニズムを利用していたが、ネットワークデバイスは同様に周期的にダウンリンク基準信号を送信し又は周期的に密集なダウンリンク基準信号を送信する必要はなく、リソースの無駄を減少して、リソース使用率を向上させることができる。
【００４３】
第２態様の可能な実現形態において、前記複数の第４ネットワークデバイスは前記ネットワークデバイスを含み、前記通信方法は、前記ネットワークデバイスが前記ダウンリンク基準信号を送信することを更に含む。
【００４４】
第２態様の可能な実現形態において、前記ネットワークデバイスが前記端末デバイスが送信した前記ネットワークデバイスの予め設定されたアップリンクシーケンスを受信する前に、前記通信方法は、前記ネットワークデバイスは第１密度で前記ダウンリンク基準信号を送信することを更に含み、前記ネットワークデバイスが前記ダウンリンク基準信号を送信することは、前記ネットワークデバイスは第２密度で前記ダウンリンク基準信号を送信することを含み、前記第２密度は前記第１密度より大きい。
【００４５】
該技術的解決手段において、ネットワークデバイスはまず時間領域及び周波数領域の密度がスパースであるダウンリンク基準信号を送信し、ダウンリンク基準信号を送信することを確定した場合に時間領域及び周波数領域の密度が密集なダウンリンク基準信号を送信してもよく、それでリソースの無駄を減少することができる。
【００４６】
第２態様の可能な実現形態において、前記通信方法は、前記ネットワークデバイスは前記端末デバイスが送信した測定レポートを受信し、前記測定レポートは前記端末デバイスが各第４ネットワークデバイスの送信した前記ダウンリンク基準信号を測定する測定結果を指示することに用いられることと、前記ネットワークデバイスは前記測定レポートに基づき前記ネットワークデバイスにおける第７ネットワークデバイスが前記ターゲットネットワークデバイスであることを確定することと、前記ネットワークデバイスは前記端末デバイスへ第２ダウンリンクメッセージを送信し、前記第２ダウンリンクメッセージは前記第７ネットワークデバイスを識別することに用いられ、それによって、前記端末デバイスは前記第１ダウンリンクメッセージに基づき前記第７ネットワークデバイスが前記ターゲットネットワークデバイスであることを確定することに用いられることと、を更に含む。
【００４７】
第２態様の可能な実現形態において、前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられる。
【００４８】
第２態様の可能な実現形態において、前記第１ダウンリンクメッセージは前記端末デバイスを指示するための指示情報を含み、アイドル状態の前記端末デバイスは前記指示情報によって前記第１ダウンリンクメッセージが前記端末デバイスに属することを確定するようにする。
【００４９】
該技術的解決手段において、指示情報の指示によってアイドル状態の端末デバイスは自分に属する第１ダウンリンクメッセージを確定する。
【００５０】
第２態様の可能な実現形態において、前記指示情報は前記アップリンクシーケンス又は前記アップリンクシーケンスのインデックスを含む。
【００５１】
第２態様の可能な実現形態において、前記通信方法は、前記ネットワークデバイスは前記端末デバイスが送信した前記端末デバイスの位置を指示するための実際の位置情報及び／又は前記端末デバイスを識別するための識別情報を受信することと、前記ネットワークデバイスが前記実際の位置情報を受信する時に、前記指示情報は前記実際の位置情報を含むことと、又は前記ネットワークデバイスが前記識別情報を受信する時に、前記指示情報は前記識別情報を含むことと、を更に含む。
【００５２】
該技術的解決手段において、ネットワークデバイスは多種の方法によって前記端末デバイスが自分に属する第１ダウンリンクメッセージを確定することを指示することができ、該技術的解決手段の柔軟性は高い。
【００５３】
第２態様の可能な実現形態において、前記通信方法は、前記ネットワークデバイスは前記端末デバイスへ前記アップリンクシーケンスの送信電力を指示するための電力情報を送信することを更に含む。
【００５４】
該技術的解決手段において、ネットワークデバイスは端末デバイスのために送信電力を設定することができ、ネットワークデバイスは該送信電力に基づいて端末デバイスの位置情報を確定することができるようにし、該技術的解決手段は操作が簡単で実現しやすい。
【００５５】
第３態様は、上記の第１態様又は第１態様の任意の可能な実現方式における方法を実行するための端末デバイスを提供する。具体的に、該端末デバイスは上記の第１態様又は第１態様の任意の可能な実現方式における方法を実行するためのモジュールを備える。
【００５６】
第４態様は、上記の第２態様又は第２態様の任意の可能な実現方式における方法を実行するためのネットワークデバイスを提供する。具体的に、該ネットワークデバイスは上記の第２態様又は第２態様の任意の可能な実現方式における方法を実行するためのモジュールを備える。
【００５７】
第５態様は、端末デバイスを提供し、該端末デバイスはプロセッサー、トランシーバ及びメモリを備える。選択肢として、該端末デバイスはバスシステムを更に備え、トランシーバ、メモリ及びプロセッサーはバスシステムによって接続され、メモリは命令を記憶することに用いられ、プロセッサーはメモリに記憶された命令を実行することに用いられ、トランシーバが信号を受信又は送信することを制御するようにし、且つプロセッサーがメモリに記憶された命令を実行する時に、その実行によってプロセッサーは第１態様又は第１態様の任意の可能な実現方式における方法を実行する。
【００５８】
第６態様は、ネットワークデバイスを提供し、該ネットワークデバイスはプロセッサー、トランシーバ及びメモリを備える。選択肢として、該ネットワークデバイスはバスシステムを更に備え、トランシーバ、メモリ及びプロセッサーはバスシステムによって接続され、メモリは命令を記憶することに用いられ、プロセッサーはメモリに記憶された命令を実行することに用いられ、トランシーバが信号を受信又は送信することを制御するようにし、且つプロセッサーがメモリに記憶された命令を実行する時に、その実行によってプロセッサーは第２態様又は第２態様の任意の可能な実現方式における方法を実行する。
【００５９】
第７態様は、コンピュータ記憶媒体を提供し、該コンピュータ記憶媒体にプログラムコードが記憶され、該プログラムコードは上記の第１態様又は第１態様の任意の可能な実現方式における方法を実行することを指示することに用いられる。
【００６０】
第８態様は、コンピュータ記憶媒体を提供し、該コンピュータ記憶媒体にプログラムコードが記憶され、該プログラムコードは上記の第２態様又は第２態様の任意の可能な実現方式における方法を実行することを指示することに用いられる。
【図面の簡単な説明】
【００６１】
本発明の実施例の技術的解決手段をより明確に説明するために、以下、本発明の実施例に使用する必要のある図面を簡単に説明する。明らかに以下で説明する図面はただ本発明の若干実施例であり、当業者にとって、創造的な労力を払わない前提で、更にこれらの図面に基づいてその他の図面を取得することができる。
【００６２】
【図１】図１は本発明の一実施例による通信方法を示す模式的なフローチャートである。
【図２】図２は本発明の別の実施例による通信方法を示す模式的なフローチャートである。
【図３】図３は本発明のまた別の実施例による通信方法を示す模式的なフローチャートである。
【図４】図４は本発明の一実施例による端末デバイスを示す模式的なブロック図である。
【図５】図５は本発明の一実施例によるネットワークデバイスを示す模式的なブロック図である。
【図６】図６は本発明の別の実施例による端末デバイスを示す模式的なブロック図である。
【図７】図７は本発明の別の実施例によるネットワークデバイスを示す模式的なブロック図である。
【発明を実施するための形態】
【００６３】
以下、本発明の実施例における図面を参照して、本発明の実施例における技術的解決手段を明確に完全に説明する。明らかに、説明された実施例は全部の実施例ではなく、本発明の一部の実施例だけである。本発明の実施例に基づいて、当業者が創造的な労働なしに得られたすべての他の実施例は、いずれも本発明の保護する範囲に属する。
【００６４】
本発明の実施例による技術的解決手段は、無線セルラーネットワークの各種の通信システム、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、コード分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ブロードバンドコード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ＬＴＥシステム、汎用移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、将来の５Ｇ通信システム等に応用されることができ、本発明の実施例はそれを制限しない。
【００６５】
本発明の実施例において、端末デバイス（Ｕｓｅｒ  Ｅｑｕｉｐｍｅｎｔ、ＵＥ）は端末（Ｔｅｒｍｉｎａｌ）、移動台（Ｍｏｂｉｌｅ  Ｓｔａｔｉｏｎ、ＭＳ）、移動端末（Ｍｏｂｉｌｅ  Ｔｅｒｍｉｎａｌ）等と呼ばれることができ、該端末デバイスは無線アクセスネットワーク（Ｒａｄｉｏ  Ａｃｃｅｓｓ  Ｎｅｔｗｏｒｋ、ＲＡＮ）によって１つ又は複数のコアネットワークと通信することができ、例えば、端末デバイスは移動電話（又は「セルラー」電話と呼ばれる）、移動端末を有するコンピュータ等であってもよく、例えば、端末デバイスは更にポータブル、ポケット、ハンドヘルド、コンピュータに内蔵された又は車載した移動装置及び将来の５Ｇネットワークにおける端末デバイスであってもよく、それらは無線アクセスネットワークと音声及び／又はデータを交換する。
【００６６】
本発明の実施例において、ネットワークデバイスはセルのコントローラーであってもよく、ネットワークデバイスは対応するセルが情報又は信号を送受信することを制御することに用いられることができる。例えば、本発明の実施例におけるネットワークデバイスは基地局のアンテナに応答でき、基地局のＮ個のアンテナはＮ個のネットワークデバイスに一々対応し、Ｎ個のネットワークデバイスはＮ個のセルを一つ一つに制御する。  
【００６７】
本発明の実施例において、ネットワークシステムは１つのネットワークデバイスを備えてもよく、ネットワークシステムは互いに通信できる複数のネットワークデバイスを備えてもよく、該複数のネットワークシステムは物理的に接続又は論理的に接続される。例えば、ネットワークシステムは基地局に対応でき、ネットワークシステムにおけるネットワークデバイスは基地局におけるアンテナに対応できる。
【００６８】
本発明の実施例において、基地局は長期的な進化（Ｌｏｎｇ  Ｔｅｒｍ  Ｅｖｏｌｕｔｉｏｎ、ＬＴＥ）システム又はその進化システム又は将来５Ｇネットワークシステムにおける進化型基地局（Ｅｖｏｌｕｔｉｏｎａｌ  Ｎｏｄｅ  Ｂ、ｅＮＢ又はｅ−ＮｏｄｅＢと略称できる）、マクロ基地局、マイクロ基地局（「小型基地局」とも呼ばれる）、ピコ基地局、アクセスポイント（Ａｃｃｅｓｓ  Ｐｏｉｎｔ、ＡＰ）又は伝送ポイント（Ｔｒａｎｓｍｉｓｓｉｏｎ  Ｐｏｉｎｔ、ＴＰ）等であってもよく、本発明はそれを制限しない。
【００６９】
以下、具体的な例を組み合わせて本発明の実施例を詳細的に説明する。理解すべきなのは、これらの例は当業者に本発明の実施例をより良く理解させることを助けるためのものだけであり、本発明の実施例の範囲を制限するものではない。
【００７０】
また理解すべきなのは、本発明の実施例において、番号「第１」、「第２」「第３」等のネットワークデバイスは異なる操作を実行するネットワークデバイスを区別することに用いられる。該第１ネットワークデバイス、第２ネットワークデバイス及び第３ネットワークデバイス等が同じネットワークデバイスであるか否かは、実際の場合に応じて具体的に判断する必要がある。
【００７１】
以下、図１〜図３を参照して本発明の実施例による通信方法を詳細的に説明する。
【００７２】
図１は本発明の一実施例による通信方法１００を示す模式的なフローチャートである。図１は通信方法１００のステップ又は操作を示したが、これらのステップ又は操作は例だけであり、本発明の実施例は他の操作又は図１の各操作の変形を実行してもよく、なお、図１における各ステップは図１に示されたのと異なる順序で実行されることができ、且つ必ずしも図１における全ての操作を実行しなくてもよい。該通信方法１００は以下のステップＳ１１０〜Ｓ１３０を含んでもよい。
Ｓ１１０、端末デバイスは予め設定されたアップリンクシーケンスを送信し、前記アップリンクシーケンスは前記端末デバイスがターゲットネットワークデバイスを確定する需要を有することを指示することに用いられる。
【００７３】
Ｓ１２０、前記端末デバイスは前記ネットワークシステムが前記アップリンクシーケンスに基づき送信した第１ダウンリンクメッセージを受信する。
【００７４】
Ｓ１３０、前記第１ダウンリンクメッセージが第１ネットワークデバイスを識別することに用いられる時、前記端末デバイスは前記第１ダウンリンクメッセージに基づき前記ターゲットネットワークデバイスが前記第１ネットワークデバイスであるのを確定し、前記第１ネットワークデバイスは前記ネットワークシステムが前記端末デバイスの位置情報によって確定されたものである。
【００７５】
図２は本発明の実施例の通信方法２００に基づく模式的なフローチャートである。図２は通信方法２００のステップ又は操作を示したが、これらのステップ又は操作は単に例示であり、本発明の実施例は更に他の操作又は図２の各操作の変形を実行することができ、なお、図２における各ステップは図２に示した順序と異なる順序で実行されることができ、且つ図２におけるすべての操作を必ずしも実行しなくてもよい可能性がある。該通信方法２００は以下のステップＳ２１０〜Ｓ２３０を含んでもよい。
【００７６】
Ｓ２１０、ネットワークシステムは端末デバイスが送信した前記予め設定されたアップリンクシーケンスを受信し、前記アップリンクシーケンスは前記端末デバイスがターゲットネットワークデバイスを確定する需要を有することを指示することに用いられる。
【００７７】
Ｓ２２０、前記ネットワークシステムは前記アップリンクシーケンスに基づき前記端末デバイスへ第１ダウンリンクメッセージを送信することを確定し、前記ネットワークシステムは前記端末デバイスの位置情報によってターゲットネットワークデバイスが前記第１ネットワークデバイスであると確定した時、前記第１ダウンリンクメッセージは前記第１ネットワークデバイスを指示することに用いられる。  
Ｓ２３０、前記ネットワークデバイスは前記端末デバイスへ前記第１ダウンリンクメッセージを送信し、前記端末デバイスが前記第１ダウンリンクメッセージに基づき前記ターゲットネットワークデバイスが前記第１ネットワークデバイスであることを確定することに用いられる。
【００７８】
具体的には、端末デバイスは自身の需要（例えばモビリティ管理の需要）に基づきアップリンクシーケンスを送信することができる。ネットワークシステムは該アップリンクシーケンスを受信した後該端末デバイスがターゲットネットワークデバイスを確定する需要があることを知ることができ、該ネットワークシステムが該端末デバイスの位置情報に基づき該ターゲットネットワークデバイスを確定できる場合に、該端末デバイスは該ネットワークシステムの送信した該ターゲットネットワークデバイスを識別するための第１ダウンリンクメッセージを受信することができる。例えば、ネットワークシステムが該端末デバイスのターゲットネットワークデバイスが第１ネットワークデバイスであると確定した時、該ネットワークシステムは該端末デバイスへ該第１ネットワークデバイスを識別するための第１ダウンリンクメッセージを送信することができる。選択肢として、該第１ダウンリンクメッセージは該第１ネットワークデバイスを識別するための第１情報（該第１情報は第１ネットワークデバイスのＩＤであってもよい）を含んでもよい。これにより端末デバイスは該第１ダウンリンクメッセージを受信した後（その第１情報によって）、該第１ネットワークデバイスは該ネットワークシステムが端末デバイスのために確定したターゲットネットワークデバイスであることを知る。
【００７９】
理解すべきなのは、ネットワークシステムは第１ネットワークデバイスを含んでも良いし、第１ネットワークデバイスを含まなくても良い。本発明の実施例はここで限定しない。好ましくは、ネットワークシステムは該第１ネットワークデバイスを含む。
【００８０】
なお、ネットワークシステムが該端末デバイスへ該第１ダウンリンクメッセージを送信することは、ネットワークシステムにおけるあるネットワークデバイスが該端末デバイスへ第１ダウンリンクメッセージを送信することを指す。
【００８１】
例えば、端末デバイスが接続状態にある時、該ネットワークシステムは該端末デバイスのサービスセルのネットワークデバイスを含んでもよく、ネットワークシステムにおける複数のネットワークデバイスは協議によってターゲットネットワークデバイスが第１ネットワークデバイスであると確定した後、該端末デバイスのサービスセルのネットワークデバイスは該端末デバイスへ該第１ネットワークデバイスを指示するための第１ダウンリンクメッセージを送信することができる。
【００８２】
また例えば、端末デバイスがアイドル状態にある時、ネットワークシステムにおける複数のネットワークデバイスは協議によって負荷最小のネットワークデバイスが端末デバイスへ該第１ダウンリンク基準信号を送信することを確定できる。更に、ネットワークシステムが端末デバイスの位置情報を取得できる場合、ネットワークシステムは端末デバイスの位置に基づき該第１ダウンリンクメッセージを送信するネットワークデバイスを確定できる。例えば、ネットワークシステムは該端末デバイスの位置に最も近いネットワークデバイスが該端末デバイスへ該第１ダウンリンクメッセージを送信することを確定できる。更に、該端末デバイスの位置に最も近いネットワークデバイスの負荷が高い場合、ネットワークシステムは該端末デバイスの位置に比較的に近接し且つ負荷の低いネットワークデバイスが該端末デバイスへ該第１ダウンリンクメッセージを送信することを確定できる。ネットワークシステムが該端末デバイスの位置情報に基づき、及び／又は、該ネットワークシステムにおける複数のネットワークデバイスの負荷量に基づき、前記端末デバイスへ該第１ダウンリンクメッセージを送信するネットワークデバイスがネットワークデバイスＡであると確定した時、ネットワークデバイスＡは端末デバイスへ第１ダウンリンクメッセージを送信する。  
【００８３】
なお、本発明の実施例において、ネットワークデバイスはダウンリンク基準信号を周期的に送信せず、又はネットワークデバイスは時間領域及び／又は周波数領域の密度がスパースであるダウンリンク基準信号を周期的に送信する（従来技術においてネットワークデバイスは時間領域及び／又は周波数領域の密度が比較的に密集なダウンリンク基準信号を周期的に送信する）。該スパースなダウンリンク基準信号はネットワークデバイスが一定の大きさのリソースで比較的に少ないダウンリンク基準信号を送信すると理解されることができる。
【００８４】
このため、端末デバイスは必要な場合にはネットワークシステムへ前記アップリンクシーケンスを送信することができ、ネットワークシステムが前記アップリンクシーケンスに基づきターゲットネットワークデバイスを確定できる（即ちターゲットネットワークデバイスが第１ネットワークデバイスであると確定する）場合には、ネットワークシステムは端末デバイスへ該第１ネットワークデバイスを指示するための第１ダウンリンクメッセージを送信することができ、端末デバイスは該第１ネットワークデバイスを指示するための第１ダウンリンクメッセージを受信することができ、それで無意味なダウンリンク基準信号の伝送を減少することができ、これによりリソースの無駄を減少して、リソース使用率を向上させる。更に、端末デバイスがダウンリンク基準信号に頼ってターゲットネットワークデバイスを確定する測定メカニズムと比べて、該技術的解決手段においては端末デバイスはダウンリンク基準信号の測定を行わなくてもよく、シグナリングオーバーヘッドを節約すると同時に、端末デバイスのターゲットネットワークデバイスを確定する過程を簡素化できる。
【００８５】
一つ選択可能な実施例として、ネットワークシステムは複数のネットワークデバイスを含んでもよく、該複数のネットワークデバイスの間に通信（即ち情報インタラクション）することができる。予め設定されたアップリンクシーケンスはネットワークシステムの既知のアップリンクシーケンスと理解されることができ、前記アップリンクシーケンスを伝送するリソース（例えば時間領域及び／又は周波数領域の位置）及び／又は使用されたアップリンクシーケンスがネットワークシステムでの複数のネットワークデバイスの既知のものであることを指してもよい。これはプロトコルによって事前に約束されるか又はネットワークシステムにおける複数のネットワークデバイスの間に協調して実現される。例えば、該アップリンクシーケンスの占用したリソース（例えば時間領域及び／又は周波数領域の位置）及び／又は使用したアップリンクシーケンス（又はシーケンスグループ）は、ネットワークシステムにおけるあるネットワークデバイスのダウンリンク放送チャネルによって放送されることができる。これに基づいて、該端末デバイスが予め設定されたアップリンクシーケンスを送信する送信方式は多種あってもよい。
【００８６】
例えば、端末デバイスが接続状態にある時、該ネットワークシステムはサービスセルのネットワークデバイスとサービスセルの隣のセルのネットワークデバイスを含んでもよい。端末デバイスは自分のサービスセルのネットワークデバイスへ該アップリンクシーケンスを送信することができ、該サービスセルの隣のセルのネットワークデバイスも前記アップリンクシーケンスを検出（又は受信）できる。
【００８７】
また例えば、端末デバイスがアイドル状態にある時、該ネットワークシステムは滞在セルのネットワークデバイスと滞在セルの隣のセルのネットワークデバイスを含んでもよく、端末デバイスは自分の現在の滞在セルのネットワークデバイスへ前記アップリンクシーケンスを送信することができ、ネットワークシステムは該アップリンクシーケンスを予め設定したので、該滞在セルの隣のセルのネットワークデバイスも前記アップリンクシーケンスを検出することができる。
【００８８】
更に例えば、端末デバイスは放送の方式によって前記アップリンクシーケンスを送信することができ、これにより前記ネットワークシステムにおける複数のネットワークデバイスは前記アップリンクシーケンスを検出することができる。
【００８９】
なお、端末デバイスがどのような方式で前記アップリンクシーケンスを送信しても、前記アップリンクシーケンスがネットワークシステムの予め設定された（又は既知の）ものであるため、該ネットワークシステムにおける複数のネットワークデバイスは前記アップリンクシーケンスを検出することができる。
【００９０】
選択肢として、本発明の実施例において、前記アップリンクシーケンスは前記端末デバイスが１つのシーケンスグループから選択したものであってもよい。前記シーケンスグループはプロトコルで約束されたものであってもよく、ネットワークシステムにおけるあるネットワークデバイスがダウンリンク放送チャネルによって端末デバイスに通知したものであってもよい。該シーケンスグループは標準における従来シーケンスグループであってもよく、これにより該アップリンクシーケンスは従来シーケンスグループから選択された従来シーケンスである。例えば、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）のプリアンブル（ｐｒｅａｍｂｌｅ）である。該シーケンスグループは更に専門的に定義されたシーケンスグループであってもよい。例えば、論理ルートシーケンス（ｌｏｇｉｃａｌ  ｉｎｄｅｘ  ＲＡＣＨ＿Ｒｏｏｔ＿ＳＥＱＵＥＮＣＥ、Ｚ−Ｃシーケンス）に基づき、現在ＰＲＡＣＨ  ｐｒｅａｍｂｌｅと異なる長さ又は異なるフェーズのシーケンスからなるシーケンスグループを取得する。
【００９１】
アップリンクシーケンスグループが従来シーケンスグループで、これにより該アップリンクシーケンスが従来シーケンスグループから選択された従来シーケンスである時、端末デバイスは多種の方式によって該アップリンクシーケンスを送信でき、それによって、ネットワークシステム（前記アップリンクシーケンスを受信したネットワークデバイス）は該従来シーケンスが前記端末デバイスがターゲットネットワークデバイスを確定する需要を有することを指示することに用いられるかどうかを確定する。簡潔にするために、「アップリンクシーケンスが前記端末デバイスがターゲットネットワークデバイスを確定する需要を有することを指示することに用いられる」を「アップリンクシーケンスが前記端末デバイスの需要を指示することに用いられる」と略称することができる。
【００９２】
１つ選択可能な実施例として、端末デバイスは前記端末デバイスの需要を指示するための従来シーケンスの対応するリソースで前記従来シーケンスを送信してもよい。言い換えると、本発明の実施例において端末デバイスが前記従来シーケンスを送信するリソース（例えば時間領域及び／又は周波数領域の位置）は、従来技術において端末デバイスが前記従来シーケンスを送信するリソースと異なる。例えば、端末デバイスはランダムアクセスの時第１リソースでＰＲＡＣＨ  ｐｒｅａｍｂｌｅを送信し、端末デバイスは必要とする時第２リソースで前記ＰＲＡＣＨ  ｐｒｅａｍｂｌｅを送信する。これによりネットワークシステムは前記従来シーケンスの占用したリソースに基づき、ランダムアクセスに用いるＰＲＡＣＨ  ｐｒｅａｍｂｌｅと前記端末デバイスの需要を指示するためのＰＲＡＣＨ  ｐｒｅａｍｂｌｅを区別することができる。
【００９３】
もう１つの選択可能な実施例として、ネットワークシステムは従来シーケンスグループにおけるある従来シーケンスを予め設定して専門的に端末デバイスの需要を指示することに用いてもよい。例えば、ネットワークシステムはＰＲＡＣＨ  ｐｒｅａｍｂｌｅにおけるＮ個のシーケンスを予め設定して専門的に端末デバイスの需要を指示することに用い、これによりネットワークシステムは該Ｎ個シーケンス中の1個のシーケンスを受信した時、端末デバイスがターゲットネットワークデバイスを確定する需要を有すると確定することができ、ここでは、Ｎ≧１である。
【００９４】
選択肢として、本発明の実施例において、該予め設定されたアップリンクシーケンスは予め設定されたアップリンク信号（アップリンク信号も１種のシーケンスである）を更に含んでもよく、該予め設定されたアップリンク信号は標準における従来アップリンク信号、例えば、アップリンク検出基準信号（Ｓｏｕｎｄｉｎｇ  Ｒｅｆｅｒｅｎｃｅ  Ｓｉｇｎａｌ、ＳＲＳ）であってもよい。該予め設定されたアップリンク信号は更にアップリンク物理制御チャネル（Ｐｈｙｓｉｃａｌ  Ｕｐｌｉｎｋ  Ｃｏｎｔｒｏｌ  ＣＨａｎｎｅｌ、ＰＵＣＣＨ）のある種の信号、例えば、アップリンクスケジューリング要求（Ｓｃｈｅｄｕｌｉｎｇ  Ｒｅｑｕｅｓｔ、ＳＲ）であってもよい。端末デバイスが前記従来アップリンク信号を使用して端末デバイスの需要を指示する場合、上文の説明と類似で、該端末デバイスの需要を指示するための従来アップリンク信号は従来技術の従来アップリンク信号のリソース及び／又はフォーマットと異なり、これにより前記アップリンク信号を受信したネットワークデバイスはこれは前記端末デバイスの需要のために用いられる従来アップリンク信号であることを識別することができる。
【００９５】
以上、図１と図２を参照して本発明の実施例における端末デバイスが自分の需要に基づきネットワークデバイスへアップリンクシーケンスを送信することができることを説明した。選択肢として、本発明の実施例において、該端末デバイスの受信した前記第１ダウンリンクメッセージは少なくとも以下の２種の場合を含んでもよい。
【００９６】
場合一、
上文での説明と類似で、ネットワークシステムは該ターゲットネットワークデバイスが該第１ネットワークデバイスであると確定した時（言い換えると、ネットワークシステムが該ターゲットネットワークデバイスを確定することができる時）、該ネットワークシステムは該端末デバイスへ前記第１ネットワークデバイスを識別するための第１ダウンリンクメッセージを送信することができる。端末デバイスは該第１ダウンリンクメッセージを受信した後、該ターゲットネットワークデバイスが該第１ネットワークデバイスであることを確定することができる。簡単に言えば、該技術的解決手段において、ネットワークシステムは端末デバイスの位置情報を取得して、且つ位置情報に基づきターゲットネットワークデバイスを確定して第１ダウンリンクメッセージを送信して端末デバイスに通知することができる。
【００９７】
第１ネットワークデバイスはネットワークシステムが該端末デバイスの位置情報に基づき確定したものである。ネットワークシステムは少なくとも以下の数種の方式によって該位置情報を取得できる。
【００９８】
（１）該位置情報は該端末デバイスの位置を指示するための実際の位置情報を含んでもよい。即ち該端末デバイスは該ネットワークシステムへ実際の位置情報を送信することでき、ネットワークシステムは該実際の位置情報を受信した後、該実際の位置情報に基づきターゲットネットワークデバイスが第１ネットワークデバイスであると確定することができる。
【００９９】
具体的には、端末デバイスは該アップリンクシーケンスを送信する時、該アップリンクシーケンスに伴い実際の位置情報を送信することができる。ネットワークシステムは実際の位置情報を受信した後、実際の位置情報に基づき端末デバイスのためにターゲットネットワークデバイスを選択することができる（後に実際の位置情報を送信する方式を詳しく説明する）。例えば、ネットワークシステムは端末デバイスに最も近い第１ネットワークデバイスを選択して該ターゲットネットワークデバイスとすることができる。また例えば、ネットワークシステムは端末デバイスに近くて且つ負荷が比較的に小さい第１ネットワークデバイスを選択して該ターゲットネットワークデバイスとすることができる。
【０１００】
なお、第１ダウンリンクメッセージに識別された第１ネットワークデバイスは、ネットワークシステムの中の１つのネットワークデバイスが端末デバイスの位置情報に基づき確定したものであってもよい。例えば、サービスセルのネットワークデバイスは端末デバイスの実際の位置情報を取得した後、直接に端末デバイスのためにターゲットネットワークデバイスを選択することができる。第１ダウンリンクメッセージに識別された第１ネットワークデバイスは、更にネットワークシステムにおける複数のネットワークデバイスが端末デバイスの位置情報に基づき協議して確定したものであってもよく、複数のネットワークデバイスは協議によって比較的に好ましいターゲットネットワークデバイスを確定することができる。例えば、複数のネットワークデバイスが協議によってターゲットネットワークデバイスを確定することは、複数のネットワークデバイスが自身の負荷状況、他のネットワークデバイスの負荷状況及び端末デバイスの位置を総合的に考慮して、ターゲットネットワークデバイスを確定することを含んでもよい。
【０１０１】
（２）前記位置情報は、前記ネットワークシステムが前記ネットワークシステムにおける複数の第２ネットワークデバイスが前記アップリンクシーケンスを受信する受信時刻、及び／又は前記ネットワークシステムにおける複数の第３ネットワークデバイスが前記アップリンクシーケンスを受信する経路損失に基づいて確定した前記端末デバイスの参照位置情報を含んでもよい。
【０１０２】
例えば、ネットワークシステムにおけるネットワークデバイスは該アップリンクシーケンスを受信した後、自分が前記アップリンクシーケンスを受信した受信時刻をインタラクションすることができる。区別しやすいために受信時刻に基づき取得した参照位置情報を第１参照位置情報と呼ぶことができる。例えば、ネットワークシステムは第２ネットワークデバイスＡ、第２ネットワークデバイスＢ及び第２ネットワークデバイスＣの前記アップリンクシーケンスを受信する受信時刻によって、前記端末デバイスの第１参照位置情報を確定する。これにより、ネットワークシステムは前記第１参照位置情報に基づき前記ターゲットネットワークデバイスを確定することができる。
【０１０３】
複数の第２ネットワークデバイス、３つの第２ネットワークデバイスを含むことを例とし、仮に第２ネットワークデバイスＡの座標が（ａ１、ｂ１）であり、第２ネットワークデバイスＢの座標が（ａ２、ｂ２）であり、第２ネットワークデバイスＣの座標が（ａ３、ｂ３）であると、Ａのアップリンクシーケンスを受信する受信時刻とＢのアップリンクシーケンスを受信する受信時刻の間の時刻差はΔｔ１であり、Ａのアップリンクシーケンスを受信する受信時刻とＣのアップリンクシーケンスを受信する受信時刻の間の時刻差はΔｔ２であり、該端末デバイスの位置を（ｘ、ｙ）とし、Ａの該アップリンクシーケンスを受信するための時間をｔ１とすることができ、該ネットワークシステムは式（１）−式（３）に基づき該端末デバイスの第１参照位置情報を確定することができる。
【０１０４】
【数１】
2019531614.tif 000003
ここでは、
2019531614.tif 000004
であり、ネットワークシステムは上記式（１）−式（３）に基づき該端末デバイスの第１参照位置情報を確定することができ、これにより該端末デバイスの第１参照位置情報に基づき、ターゲットネットワークデバイスが第１ネットワークデバイスであると確定することができる。
【０１０５】
また例えば、ネットワークシステムにおけるネットワークデバイスは前記アップリンクシーケンスを受信した後、自分の前記アップリンクシーケンスを受信する経路損失（又は受信電力）をインタラクションすることができる。任意のネットワークデバイスの前記アップリンクシーケンスを受信する経路損失は、該任意のネットワークデバイスの該アップリンクシーケンスを受信する受信電力と該端末デバイスの該アップリンクシーケンスを送信する送信電力との間の電力差に等しい。区別しやすいために、経路損失に基づき取得された参照位置情報を第２参照位置情報と呼ぶことができる。該ネットワークシステムは第３ネットワークデバイスＤ、第３ネットワークデバイスＥ及び第３ネットワークデバイスＦの前記アップリンクシーケンスを受信する経路損失に基づき、該端末デバイスの第２参照位置情報を確定することができる。これにより、ネットワークシステムは該第２参照位置情報に基づき前記ターゲットネットワークデバイスを確定することができる。
【０１０６】
なお、該アップリンクシーケンスの送信電力はネットワークシステムの既知のものであり、これにより該ネットワークシステムにおけるネットワークデバイスは前記アップリンクシーケンスの送信電力と前記アップリンクシーケンスを受信する受信電力に基づき、前記アップリンクシーケンスの経路損失を確定することができる。例えば、ネットワークシステム（ネットワークシステムにおけるあるネットワークデバイス）は該端末デバイスへ該アップリンクシーケンスの送信電力を指示するための電力情報を送信することができる。また例えば、ネットワークシステムは更に放送メッセージによって該電力情報を放送することができる。更に例えば、該アップリンクシーケンスの送信電力は更に端末デバイスとネットワークシステムで予め約定されたものであってもよく、これにより端末デバイスは予定された送信電力で該アップリンクシーケンスを送信することができる。対応的に、該端末デバイスは該電力情報を受信した後、該電力情報で指示された送信電力を使用して該アップリンクシーケンスを送信することができる。
【０１０７】
なお、該複数の第２ネットワークデバイスと該複数の第３ネットワークデバイスは同じネットワークデバイスを含んでもよいし、同じネットワークデバイスを含まなくても良い。本発明の実施例はここで限定しない。
【０１０８】
更に例えば、ネットワークシステムにおけるネットワークデバイスは該アップリンクシーケンスを受信した後、自分の該アップリンクシーケンスを受信する受信時刻及び該アップリンクシーケンスを受信する経路損失（又は受信電力）をインタラクションすることができる。例えば、ネットワークシステムは第２ネットワークデバイスＡのアップリンクシーケンスを受信する受信時刻、第２ネットワークデバイスＢの前記アップリンクシーケンスを受信する受信時刻及び第３ネットワークデバイスＣの前記アップリンクシーケンスを受信する経路損失を取得して、該端末デバイスの参照位置情報を確定することができる。
【０１０９】
ネットワークシステムがどのような方式で前記端末デバイスの位置情報を取得し、そして取得したのは参照位置情報であるか実際の位置情報であるかに係らず、ネットワークシステムは該位置情報に基づき前記ターゲットネットワークデバイスが前記第１ネットワークデバイスであることを確定さえすれば、ネットワークシステムは前記端末デバイスへ前記第１ネットワークデバイスを識別するための第１ダウンリンクメッセージを送信することができ、これにより前記端末デバイスは前記第１ダウンリンクメッセージに基づき、直接に前記ターゲットネットワークデバイスが前記第１ネットワークデバイスであることを確定する。
【０１１０】
場合二、
ネットワークシステムが前記アップリンクシーケンスを受信した後、端末デバイスが基準信号の測定を行う必要があると確定した時（言い換えると、ネットワークシステムがアップリンクシーケンスを受信した後、前記ターゲットネットワークデバイスを確定できない可能性がある）、この時ネットワークシステムは端末デバイスが基準信号の測定に基づいてターゲットネットワークデバイスを取得するように指示する必要がある。即ちネットワークシステムは前記端末デバイスに端末デバイスが前記ネットワークシステムにおける複数の第４ネットワークデバイスの中の各第４ネットワークデバイスの送信したダウンリンク基準信号を測定することを指示するためのを送信し、端末デバイスは前記第１ダウンリンクメッセージを受信した後各第４ネットワークデバイスが送信したダウンリンク基準信号を測定することによって、前記ターゲットネットワークデバイスを確定することができる。
【０１１１】
ネットワークシステムがアップリンクシーケンスを受信した後前記ターゲットネットワークデバイスを確定できないという状況は少なくとも以下の数種を含む。
【０１１２】
（１）ネットワークシステムにおいて前記アップリンクシーケンスを検出するネットワークデバイスが不足で、これによりネットワークシステムは前記端末デバイスの参照位置情報を推計できない。
【０１１３】
（２）ネットワークシステムが異なる方式によって取得した端末デバイスの位置情報は相違点が大きい。例えば、ネットワークシステムが受信時刻と経路損失によって取得した２種の参照位置情報の相違点が大きく、また例えば、ネットワークシステムが取得した実際の位置情報と取得した参照位置情報の相違点が大きい。  
ネットワークシステムは前記端末デバイスがダウンリンク基準信号を測定する必要があると確定した時、ネットワークシステムは端末デバイスへ第１ダウンリンクメッセージを送信することができ、該第１ダウンリンクメッセージは前記端末デバイスが該ネットワークシステムにおける複数の第４ネットワークデバイスの各第４ネットワークデバイスの送信したダウンリンク基準信号を測定するように指示することに用いられ、端末デバイスは該第１ダウンリンクメッセージを受信した後各第４ネットワークデバイスが送信した前記ダウンリンク基準信号を測定することによって、前記ターゲットネットワークデバイスを確定することができる。
【０１１４】
なお、ネットワークシステムは複数の第４ネットワークデバイスがダウンリンク基準信号を送信することを確定することができる。例えば、ネットワークシステムにはＮ個のネットワークデバイスが該アップリンクシーケンスを受信し、該ネットワークシステムはＮ個のネットワークデバイスにおけるＭ個の第４ネットワークデバイスがダウンリンク基準信号を送信することを確定することができ、ここでは、Ｎ≧２、２≦Ｍ≦Ｎである。
【０１１５】
場合二において、端末デバイスの状態によって、端末デバイスのターゲットネットワークデバイスを確定する方式が異なる。
【０１１６】
選択肢として、本発明の実施例において、仮にネットワークシステムにおけるＬ個の第５ネットワークデバイスが第１密度でダウンリンク基準信号を送信し、ネットワークシステムは端末デバイスがダウンリンク基準信号の測定を行う必要があると確定した時、ネットワークシステムはＫ個の第４ネットワークデバイスが第２密度でダウンリンク基準信号を送信することを確定することができる。この時、該Ｋ個の第４ネットワークデバイスは第２密度でダウンリンク基準信号を送信する必要がある。Ｌ個の第５ネットワークデバイスにおける、Ｋ個の第４ネットワークデバイスと同じのネットワークデバイスは第２密度でダウンリンク基準信号を送信する必要があり、Ｌ個の第５ネットワークデバイスにおける、Ｋ個の第４ネットワークデバイスと異なるネットワークデバイスは依然として第１密度でダウンリンク基準信号を送信する。例えば、ネットワークシステムはネットワークデバイスＡ、ネットワークデバイスＢ及びネットワークデバイスＣを含み、該３つのネットワークデバイスは第１密度でダウンリンク基準信号を送信し、ネットワークシステムはアップリンクシーケンスを受信した後、端末デバイスはネットワークデバイスＢとネットワークデバイスＣを測定する必要があり、この時ネットワークデバイスＡは仍然として第１密度でダウンリンク基準信号を送信し、ネットワークデバイスＢとネットワークデバイスＣは第２密度でダウンリンク基準信号を送信する必要がある。
【０１１７】
なお、ネットワークシステムは端末デバイスの位置情報及び／又はネットワークシステムにおけるネットワークデバイスの負荷量に基づき、ダウンリンク基準信号を送信する複数の第４ネットワークデバイスを確定することができる（又は第２密度でダウンリンク基準信号を送信する複数の第４ネットワークデバイスを確定する）。
【０１１８】
一つ選択可能な実施例として、該端末デバイスが接続状態にある時、該端末デバイスは該第１ダウンリンクメッセージを受信した後、該端末デバイスは該第１ダウンリンクメッセージに基づき各第４ネットワークが送信したダウンリンク基準信号を測定して測定レポートを生成することができ、該端末デバイスは第６ネットワークデバイス（即ちサービスセルのネットワークデバイス）へ該測定レポートを報告することができ、これによりサービスセルは前記測定レポートに基づき該ターゲットネットワークデバイスが第７ネットワークデバイスであると確定し、端末デバイスが第２ダウンリンクメッセージを受信した後直接にターゲットネットワークデバイスが第７ネットワークデバイスであると確定することができる。簡単に言えば、端末デバイスが接続状態にある時、端末デバイスは第１ダウンリンクメッセージに基づき各第４ネットワークデバイスを測定した後サービスセルのネットワークデバイスへ測定レポートを報告することができ、サービスセルのネットワークデバイスは測定レポートに基づき端末デバイスのためにターゲットネットワークデバイスを確定することができる。
【０１１９】
理解すべきなのは、第１ネットワークデバイスと第７ネットワークデバイスはネットワークシステムが異なる方式に基づき確定したものであり、両者は同じネットワークデバイスであってもよく、異なるネットワークデバイスであってもよく、本発明の実施例はここで限定しない。
【０１２０】
他の選択可能な実施例として、前記端末デバイスがアイドル状態にある時、前記端末デバイスが前記第１ダウンリンクメッセージを受信した後、前記端末デバイスは前記第１ダウンリンクメッセージに基づき各第４ネットワークが送信したダウンリンク基準信号を測定することができ、且つＲ基準に基づき、自分で前記ターゲットネットワークデバイスを確定する。簡単に言えば、端末デバイスがアイドル状態にある時、端末デバイスは第１ダウンリンクメッセージに基づき各第４ネットワークデバイスを測定した後、自分でターゲットネットワークデバイスを確定することができる。
【０１２１】
場合二において、選択肢として、該第１ダウンリンクメッセージは更にリソース情報及び／又はパラメータ情報を含んでもよく、該リソース情報は各第４ネットワークデバイスがダウンリンク基準信号を送信するために占用したリソースを指示することに用いられ、該パラメータ情報は各第４ネットワークデバイスが前記ダウンリンク基準信号を送信するパラメータを指示することに用いられる。パラメータ情報はダウンリンク基準信号の時間領域と周波数領域での位置、利用したシーケンス情報、直交コード（Ｏｒｔｈｏｇｏｎａｌ  ｃｏｖｅｒ  ｃｏｄｅ）等を含んでもよい。
【０１２２】
該端末デバイスが各第４ネットワークデバイスの送信したダウンリンク基準信号を測定することによって、前記ターゲットネットワークデバイスを確定することは、該端末デバイスが前記リソース情報及び／又はパラメータ情報によって、前記少なくとも２つのネットワークデバイスにおける各第４ネットワークデバイスが送信したダウンリンク基準信号を測定して、前記ターゲットネットワークデバイスを確定することを含んでもよい。
【０１２３】
具体的には、ネットワークシステムは端末デバイスへリソース情報を送信することができ、且つ各第４ネットワークデバイスは対応するリソースでダウンリンク基準信号を送信し、これにより端末デバイスがリソース情報を受信した後対応するリソースで各第４ネットワークデバイスの送信したダウンリンク基準信号を検出することができる。ネットワークシステムは更に端末デバイスへパラメータ情報を送信することができ、且つ各第４ネットワークデバイスは対応のパラメータを使用して端末デバイスへダウンリンク基準信号を送信し、これにより端末デバイスはパラメータ情報を受信した後、各第４ネットワークデバイスの送信したダウンリンク基準信号を正確的に受信することができる。
【０１２４】
該技術的解決手段において、ネットワークシステムは端末デバイスが必要とする場合端末デバイスに指示して複数の第４ネットワークデバイスを測定することができ、且つ複数の第４ネットワークデバイスのリソース情報等を端末デバイスに通知して、リソース割り当ての柔軟性を向上させる。
【０１２５】
選択肢として、場合二において、ネットワークシステムが端末デバイスの位置情報を取得した後、複数の第４ネットワークデバイスはビームフォーミングによって端末デバイスへダウンリンク基準信号を送信することができ、空間分割多重化を実現でき、スペクトル使用率を向上させることができる。
【０１２６】
以上の説明に基づいて、端末デバイスが必要とする時には該予め設定されたアップリンクシーケンスを送信することができ、ネットワークデバイスはアップリンクシーケンスを受信した後、端末デバイスがターゲットネットワークデバイスを確定する需要を有することを知る。この時、ネットワークシステムはターゲットネットワークデバイスを確定できる場合には、直接に自分が確定したターゲットネットワークデバイスを第１ダウンリンクメッセージを送信するという方法で端末デバイスに通知することができ、これにより端末デバイスが第１ダウンリンクメッセージを受信した後直接にターゲットネットワークデバイスを確定することができる。ネットワークシステムは端末デバイスがダウンリンク基準信号を測定する必要があることを確定した場合には（ネットワークシステムはターゲットネットワークデバイスを確定できない場合には）、ネットワークシステムは第１ダウンリンクメッセージを送信するという方法で端末デバイスに複数の第４ネットワークデバイスが送信したダウンリンク基準信号を測定する必要があることを通知し、これにより端末デバイスは第１ダウンリンクメッセージを受信した後、ダウンリンク基準信号を測定することによってターゲットネットワークデバイスを確定することができる。
【０１２７】
選択肢として、本発明の実施例において、本発明の実施例の第１ダウンリンクメッセージは前記端末デバイスを指示するための指示情報を含んでもよく、アイドル状態の前記端末デバイスは前記指示情報によって前記第１ダウンリンクメッセージが前記端末デバイスに属することを確定することに用いられるようにする。
【０１２８】
具体的には、端末デバイスがアイドル状態にあると、ネットワークデバイスの送信した第１ダウンリンクメッセージは指示情報を含む必要があり、これによりアイドル状態にある端末デバイスは該指示情報に基づき該第１ダウンリンクメッセージが該端末デバイスに属することを確定することができる。該指示情報は多種タイプの情報を含んでもよい。
【０１２９】
例えば、該指示情報は該アップリンクシーケンス又は該アップリンクシーケンスのインデックスを含んでもよい。端末デバイスは第１ダウンリンクメッセージを受信した後、アップリンクシーケンス又はアップリンクシーケンスのインデックスに基づき該第１ダウンリンクメッセージが該端末デバイスに属することを確定することができる。
【０１３０】
また例えば、端末デバイスはアップリンクシーケンスを送信する時アップリンクシーケンスに伴って、端末デバイスの実際の位置情報及び／又は端末デバイスを識別するための識別情報を送信することができる。  
端末デバイスが実際の位置情報を送信する時、該第１ダウンリンクメッセージは該実際の位置情報を含んでもよい。端末デバイスは第１ダウンリンクメッセージを受信した後、実際の位置情報に基づき該第１ダウンリンクメッセージが該端末デバイスに属することを確定することができる。
【０１３１】
端末デバイスが識別情報を送信する時、該第１ダウンリンクメッセージは識別情報を含んでもよい。端末デバイスは第１ダウンリンクメッセージを受信した後、標識に基づき該第１ダウンリンクメッセージが該端末デバイスに属することを確定することができる。
【０１３２】
言い換えると、該第１ダウンリンクメッセージはアップリンクシーケンス、該アップリンクシーケンスのインデックス、該実際の位置情報及び識別情報の中の少なくとも１種を含んでもよく、それによって、アイドル状態にある端末デバイスは該第１ダウンリンクメッセージが該端末デバイスに属することを確定する。
【０１３３】
なお、前記端末デバイスが接続状態にある時、前記ダウンリンクメッセージが前記予め設定されたアップリンクシーケンス、識別情報及び位置情報の中の任意の１種を含まなくても、前記端末デバイスは前記端末デバイスのアップリンクシーケンスに応答するための第１ダウンリンクメッセージを確定することができる。このため、選択肢として、本発明の実施例において、接続状態にある端末デバイスは該実際の位置情報及び／又は前記識別情報を送信しなくてもよく、その分前記第１ダウンリンクメッセージは前記予め設定されたアップリンクシーケンス、識別情報又は実際の位置情報を含まなくてもよい。
【０１３４】
選択肢として、本発明の実施例において、端末デバイスはアップリンクシーケンスを送信する時、アップリンクシーケンスに伴ってアップリンクメッセージを送信することができ、該アップリンクメッセージは端末デバイスの実際の位置情報及び／又は端末デバイスを識別するための識別情報を含む。即ち端末デバイスが実際の位置情報及び／又は識別情報を送信することは、前記端末デバイスがアップリンクメッセージを送信し、該アップリンクメッセージが該実際の位置情報及び／又は識別情報を含むことを含んでもよい。
【０１３５】
該技術的解決手段において、端末デバイスは単一のメッセージによって該実際の位置情報及び／又は前記識別情報を送信することができ、シグナリングのオーバーヘッドを減少できる。
【０１３６】
選択肢として、本発明の実施例において、該端末デバイスは時間領域オフセット及び／又は周波数領域オフセットに基づきアップリンクメッセージを送信してもよく、前記アップリンクメッセージが前記位置情報及び／又は識別情報を含み、該時間領域オフセットは該アップリンクシーケンスと該アップリンクメッセージの占用した時間領域リソースのオフセットを含み、該周波数領域オフセットは該アップリンクシーケンスと該アップリンクメッセージの占用した周波数領域リソースのオフセットを含む。
【０１３７】
具体的に、端末デバイスが該アップリンクシーケンスを送信するリソースと端末デバイスが該実際の位置情報及び／又は前記識別情報を送信するリソースは対応関係を有し、これによりネットワークシステムは対応するリソースで、同一の端末デバイスが送信した実際の位置情報と該識別情報の中の少なくとも１種及び該アップリンクシーケンスを受信することができる。
【０１３８】
なお、端末デバイスが該時間領域オフセット及び／又は周波数領域オフセットを取得する方式は多種ある。例えば、該端末デバイスは該時間領域オフセット及び／又は周波数領域オフセットを確定して、該アップリンクシーケンスには上記時間領域オフセット及び／又は周波数領域オフセットを指示するための情報が含まれることができ、これによりネットワークシステムは該アップリンクシーケンスを受信した後、時間領域オフセット及び／又は周波数領域オフセットに基づき、該実際の位置情報及び／又は識別情報を受信することができる。
【０１３９】
また例えば、前記端末デバイスとネットワークシステムは該時間領域オフセット及び／又は周波数領域オフセットを予め約束する。更に例えば、ネットワークシステムにおけるあるネットワークデバイスは放送によって、該時間領域オフセット及び／又は周波数領域オフセットを前記端末デバイスに設定する。
【０１４０】
選択肢として、本発明の実施例において、前記端末デバイスが予め設定されたアップリンクシーケンスを送信することは、前記端末デバイスは触発条件が満たされた時、前記アップリンクシーケンスを送信することを含んでもよく、前記触発条件は、以下条件の中の少なくとも１種を含む。前記端末デバイスは触発条件が満たされた時、前記アップリンクシーケンスを送信することを含んでもよく、前記触発条件は、以下条件の中の少なくとも１種を含む。
条件１、
前記ネットワークシステムにおける第６ネットワークデバイスが送信したダウンリンク信号を受信する受信電力は電力閾値より小さく、前記第６ネットワークデバイスは前記端末デバイスのサービスセルのネットワークデバイス又は前記端末デバイスの現在の滞在セルのネットワークデバイスを含む。
【０１４１】
具体的に、端末デバイスはサービスセルのネットワークデバイス又は滞在セルのネットワークデバイスが送信したダウンリンク信号を測定することができ、ダウンリンク信号の強度が電力閾値より小さいと、該端末デバイスは前記アップリンクシーケンスを送信することができる。例えば、該端末デバイスが該第６ネットワークデバイスの送信したダウンリンク信号を受信する受信電力（Ｒｅｆｅｒｅｎｃｅ  Ｓｉｇｎａｌ  Ｒｅｃｅｉｖｉｎｇ  Ｐｏｗｅｒ、ＲＳＲＰ）は電力閾値より小さい（該端末デバイスが該第６ネットワークデバイスのエッジに位置することを表す）と、該端末デバイスは該アップリンクシーケンスを送信する。
【０１４２】
なお、条件１では第６ネットワークデバイスが送信したダウンリンク信号を受信する受信電力は電力閾値より小さいということは、第６ネットワークデバイスが第１密度で送信したダウンリンク基準信号を受信する受信電力が電力閾値より小さいことを含んでもよい。例えば、アイドル状態にある端末デバイスは滞在セルのネットワークデバイスが第１密度で送信したダウンリンク基準信号を検出し、該第１密度のダウンリンク基準信号の受信電力セル受信閾値を検出した場合、端末デバイスは該アップリンクシーケンスを送信することができ、ネットワークシステムは端末デバイスがターゲットネットワークデバイスを確定する需要を有することを知って、対応する操作を行うようにする。
【０１４３】
条件２、
前記第６ネットワークデバイスのプリセット領域に位置する。
【０１４４】
具体的に、該プリセット領域は第６ネットワークデバイスが事前に該端末デバイスのために設定した領域であってもよく、該プリセット領域は幾つかの位置座標からなることができる。例えば、該端末デバイスの座標はＡ＜ｘ＜Ｂ、Ｃ＜ｙ＜Ｄを満たす時、該端末デバイスは該プリセット領域に位置する。（ｘ、ｙ）は端末デバイスの座標であり、ＡとＢは横座標の範囲であり、ＣとＤは縦座標の範囲である。該位置領域は更にある数学関係を満たす地理位置領域からなることもできる。例えば、該端末デバイスの座標がＥ＜（ｘ−ｘ０）２＋（ｙ−ｙ０）２＜Ｆを満たす時、該端末デバイスは該プリセット領域に位置する。（ｘ０、ｙ０）は第６ネットワークデバイスの座標であり、ＥとＦは距離閾値を示し、該プリセット領域は第６ネットワークデバイスの周囲の環状領域である。該端末デバイスが該プリセット領域に位置する時、該第６ネットワークデバイスへ該アップリンクシーケンスを送信する。
【０１４５】
選択肢として、本出願の実施例において、第６ネットワークデバイスは多種の方式によって前記プリセット位置を前記端末デバイスに設定してもよい。例えば、該端末デバイスがアイドル状態にある時、第６ネットワークデバイスは該プリセット領域を前記端末デバイスに放送することができ、また例えば、該端末デバイスが接続状態にある時、第６ネットワークデバイスは放送の方式だけでなく、専用シグナリングによって前記プリセット領域を前記端末デバイスに設定してもよい。
【０１４６】
図３は本発明の実施例による通信方法３００を示す模式的なフローチャートである。図３は通信方法３００のステップ又は操作を示したが、これらのステップ又は操作は例だけであり、本発明の実施例は他の操作又は図３の各操作の変形を実行してもよく、なお、図３における各ステップは図３に示されたのと異なる順序で実行されることができ、且つ必ずしも図３における全ての操作を実行しなくてもよい。該通信方法３００は、以下のステップＳ３１０〜Ｓ３３０を含んでもよい。
Ｓ３１０、ネットワークデバイスは端末デバイスが送信した予め設定されたアップリンクシーケンスを受信し、前記アップリンクシーケンスは前記端末デバイスがターゲットネットワークデバイスを確定する需要を有することを指示することに用いられる。
【０１４７】
Ｓ３２０、前記ネットワークデバイスは前記アップリンクシーケンスに基づき前記端末デバイスへ第１ダウンリンクメッセージを送信することを確定し、前記ネットワークデバイスが前記端末デバイスの位置情報によってターゲットネットワークデバイスが前記第１ネットワークデバイスであることを確定した時に、前記第１ダウンリンクメッセージは前記第１ネットワークデバイスを識別することに用いられる。
【０１４８】
Ｓ３３０、前記ネットワークデバイスは前記第１ダウンリンクメッセージを送信し、前記端末デバイスは前記第１ダウンリンクメッセージに基づき前記ターゲットネットワークデバイスが前記第１ネットワークデバイスであることを確定するようにする。
【０１４９】
具体的に、ネットワークデバイスはアップリンクシーケンスを受信することによって端末デバイスがターゲットネットワークデバイスを確定する需要を有することを知ることができる。該通信方法３００のステップ及び各限定についての説明は通信方法１００及び通信方法２００の関連説明を参照することができる。ネットワークデバイスが端末デバイスの位置情報に基づきターゲットネットワークデバイスを確定できる場合、該ネットワークデバイスは端末デバイスへ第１ダウンリンクメッセージを送信することができる。
【０１５０】
なお、ネットワークデバイスが端末デバイスの位置情報に基づきターゲットネットワークデバイスを確定することは、少なくとも以下の２種の場合を含んでもよい。
【０１５１】
（１）ネットワークデバイスは直接に該位置情報に基づき端末デバイスのためにターゲットネットワークデバイスを確定する。該位置情報は端末デバイスが報告した該端末デバイスの位置を指示するための実際の位置情報を含む。例えば、該ネットワークデバイスはアップリンクシーケンスを受信した後に、端末デバイスが送信した実際の位置情報を受信する可能性があり、ネットワークデバイスは該実際の位置情報に基づきターゲットネットワークデバイスを確定することができる。
【０１５２】
（２）ネットワークデバイスは他のネットワークデバイスと協議することによって端末デバイスの位置情報に基づきターゲットネットワークデバイスを確定する必要がある。例えば、該アップリンクシーケンスはネットワークシステムにおける複数のネットワークデバイスの既知のものであり、ネットワークデバイスと該ネットワークシステムにおける複数のネットワークデバイスはアップリンクシーケンスを受信した後に、端末デバイスの位置情報に基づきターゲットネットワークデバイスの確定を協議することができる。
【０１５３】
端末デバイスの位置情報の関連説明及び取得方式は上記の関連説明を参照することができ、簡潔にするためにここで繰り返して説明しない。
【０１５４】
選択肢として、前記通信方法は、前記ネットワークデバイスが前記端末デバイスの位置情報を取得することを更に含む。
【０１５５】
選択肢として、前記位置情報は前記端末デバイスが送信した、前記端末デバイスの位置を指示するための実際の位置情報を含む。  
選択肢として、前記ネットワークデバイスは前記端末デバイスの位置情報を取得することは、前記ネットワークデバイスは複数の第２ネットワークデバイスが前記アップリンクシーケンスを受信する受信時刻及び／又は複数の第３ネットワークデバイスが前記アップリンクシーケンスを受信する経路損失を取得することによって、前記端末デバイスの参照位置情報を確定し、前記位置情報は前記参照位置情報を含むことを含む。
【０１５６】
選択肢として、前記ネットワークデバイスは前記端末デバイスがダウンリンク基準信号を測定する必要があることを確定した時に、前記ネットワークデバイスは前記端末デバイスへ第１ダウンリンクメッセージを送信し、前記第１ダウンリンクメッセージは前記端末デバイスが複数の第４ネットワークデバイスの各第４ネットワークデバイスが送信したダウンリンク基準信号を測定することを指示することに用いられる。
【０１５７】
選択肢として、前記複数の第４ネットワークデバイスは前記ネットワークデバイスを含み、前記通信方法は、前記ネットワークデバイスが前記ダウンリンク基準信号を送信することを更に含む。
【０１５８】
選択肢として、前記ネットワークデバイスが前記端末デバイスの送信した前記予め設定されたアップリンクシーケンスを受信する前に、前記通信方法は、前記ネットワークデバイスが第１密度で前記ダウンリンク基準信号を送信することを更に含み、前記ネットワークデバイスが前記ダウンリンク基準信号を送信することは、前記ネットワークデバイスが第２密度で前記ダウンリンク基準信号を送信することを含み、前記第２密度は前記第１密度より大きい。
【０１５９】
選択的に、前記通信方法は、前記ネットワークデバイスは前記端末デバイスが送信した測定レポートを受信し、前記測定レポートは前記端末デバイスが各第４ネットワークデバイスの送信した前記ダウンリンク基準信号を測定する測定結果を指示することに用いられることと、前記ネットワークデバイスは前記測定レポートに基づき前記ネットワークシステムにおける第７ネットワークデバイスが前記ターゲットネットワークデバイスであることを確定することと、前記ネットワークデバイスは前記端末デバイスへ第２ダウンリンクメッセージを送信し、前記第２ダウンリンクメッセージは前記第７ネットワークデバイスを識別することに用いられ、それによって、前記端末デバイスは前記第１ダウンリンクメッセージに基づき前記第７ネットワークデバイスが前記ターゲットネットワークデバイスであることを確定することとを更に含む。
【０１６０】
選択肢として、前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられる。
【０１６１】
選択肢として、前記第１ダウンリンクメッセージは前記端末デバイスを指示するための指示情報を含み、アイドル状態の前記端末デバイスは前記指示情報によって前記第１ダウンリンクメッセージが前記端末デバイスに属することを確定することに用いられる。
【０１６２】
選択肢として、前記指示情報は前記アップリンクシーケンス又は前記アップリンクシーケンスのインデックスを含む。
【０１６３】
選択肢として、前記通信方法は、前記ネットワークデバイスは前記端末デバイスが送信した前記端末デバイスの位置を指示するための実際の位置情報及び／又は前記端末デバイスを識別するための識別情報を受信することと、前記ネットワークデバイスが前記実際の位置情報を受信する時に、前記指示情報は前記実際の位置情報を含むことと、前記ネットワークデバイスが前記識別情報を受信する時に、前記指示情報は前記識別情報を含むことと、を更に含む。
【０１６４】
選択肢として、前記通信方法は、前記ネットワークデバイスが前記端末デバイスへ前記アップリンクシーケンスの送信電力を指示するための電力情報を送信することを更に含む。
【０１６５】
なお、通信方法３００と通信方法２００はそれぞれ単一のネットワークデバイスの角度及びネットワークシステムの角度から本発明の実施例の通信方法を説明している。通信方法３００で言及した一部のネットワークデバイスは隣接するセルのネットワークデバイス（即ち互いに通信できる）であってもよい。通信方法３００における関連説明は通信方法１００と通信方法２００での関連説明を参照することができ、簡潔にするためにここで繰り返して説明しない。
【０１６６】
以上で図１〜図３を参照して本発明の実施例の通信方法を説明したが、以下で図４〜図７を参照して本発明の実施例の端末デバイス及びネットワークデバイスを説明する。
【０１６７】
図４は本発明の実施例による端末デバイス４００を示す模式的なブロック図であり、図４に示すように、該端末デバイス４００は、
予め設定されたアップリンクシーケンスを送信することに用いられ、前記アップリンクシーケンスは前記端末デバイスがターゲットネットワークデバイスを確定する需要を有することを指示することに用いられる送信モジュール４１０、
前記ネットワークシステムが前記アップリンクシーケンスに基づき送信した第１ダウンリンクメッセージを受信するための受信モジュール４２０、及び
前記第１ダウンリンクメッセージが第１ネットワークデバイスを識別することに用いられる時、前記第１ダウンリンクメッセージに基づき前記ターゲットネットワークデバイスが前記第１ネットワークデバイスであることを確定することに用いられ、前記第１ネットワークデバイスは前記ネットワークシステムが前記端末デバイスの位置情報によって確定したものである処理モジュール４３０を備える。
【０１６８】
選択肢として、前記位置情報は前記ネットワークシステムが受信した前記端末デバイスからの実際の位置情報を含み、前記実際の位置情報は前記端末デバイスの位置を指示することに用いられ、又は前記位置情報は前記ネットワークシステムが前記ネットワークシステムにおける複数の第２ネットワークデバイスが前記アップリンクシーケンスを受信する受信時刻及び／又は前記ネットワークシステムにおける複数の第３ネットワークデバイスが前記アップリンクシーケンスを受信する経路損失に基づき確定した前記端末デバイスの参照位置情報を含む。
【０１６９】
選択肢として、前記第１ダウンリンクメッセージは前記端末デバイスが前記ネットワークシステムにおける複数の第４ネットワークデバイスにおける各第４ネットワークデバイスの送信したダウンリンク基準信号を測定することを指示することに用いられる時、前記処理モジュール４３０は具体的に、各第４ネットワークデバイスが送信したダウンリンク基準信号を測定することによって、前記ターゲットネットワークデバイスを確定することに用いられる。
【０１７０】
選択肢として、前記送信モジュール４１０が予め設定されたアップリンクシーケンスを送信する前に、前記受信モジュール４２０は更に、前記ネットワークシステムにおける複数の第５ネットワークデバイスが第１密度で送信した前記ダウンリンク基準信号を受信することに用いられ、前記送信モジュール４１０は具体的に、触発条件が満たされた時、前記アップリンクシーケンスを送信することに用いられ、前記処理モジュール４３０は具体的に、各第４ネットワークデバイスが第２密度で送信した前記ダウンリンク基準信号を測定することによって、前記ターゲットネットワークデバイスを確定することに用いられ、前記第２密度は前記第１密度より大きい。
【０１７１】
選択肢として、前記処理モジュール４３０は更に、各第４ネットワークデバイスが送信したダウンリンク基準信号を測定し、且つ測定レポートを生成することに用いられる。前記送信モジュール４１０は更に、前記ネットワークシステムにおける第６ネットワークデバイスへ前記測定レポートを送信することに用いられ、前記第６ネットワークデバイスは前記端末デバイスのサービスセルのネットワークデバイスを含む。前記受信モジュール４２０は更に、前記第６ネットワークデバイスが前記測定レポートに基づき送信した第２ダウンリンクメッセージを受信することに用いられ、前記第２ダウンリンクメッセージは第７ネットワークデバイスを識別することに用いられる。前記処理モジュール４３０は具体的に、前記第２ダウンリンクメッセージに基づき前記第７ネットワークデバイスが前記ターゲットネットワークデバイスであることを確定することに用いられる。
【０１７２】
選択肢として、前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられ、前記処理モジュール４３０は具体的に、前記リソース情報及び／又はパラメータ情報によって各第４ネットワークデバイスが送信したダウンリンク基準信号を測定し、それによって前記ターゲットネットワークデバイスを確定することに用いられる。  
【０１７３】
選択肢として、前記第１ダウンリンクメッセージは前記端末デバイスを指示するための指示情報を含み、アイドル状態の前記端末デバイスは前記指示情報によって前記第１ダウンリンクメッセージが前記端末デバイスに属することを確定することに用いられる。
【０１７４】
選択肢として、前記指示情報は前記アップリンクシーケンス又は前記アップリンクシーケンスのインデックスを含む。
【０１７５】
選択肢として、前記受信モジュール４２０が前記ネットワークシステムが前記アップリンクシーケンスに基づき送信した第１ダウンリンクメッセージを受信する前に、前記送信モジュール４１０は更に、前記端末デバイスの位置を指示するための実際の位置情報を送信することに用いられ、前記位置情報は前記実際の位置情報を含み、及び／又はが前記端末デバイスを識別するための識別情報を送信し、前記指示情報は前記識別情報を含む。  
【０１７６】
選択肢として、前記送信モジュール４１０は更に、前記端末デバイスの位置を指示するための実際の位置情報を送信することに用いられ、前記ネットワークシステムは前記実際の位置情報に基づき前記ターゲットネットワークデバイスが前記第１ネットワークデバイスであることを確定し、又は前記端末デバイスがダウンリンク基準信号を測定する必要があることを確定することに用いられる。
選択肢として、前記送信モジュール４１０は更に、前記端末デバイスの位置を指示するための実際の位置情報を送信することに用いられ、前記ネットワークシステムは前記実際の位置情報に基づき前記ターゲットネットワークデバイスが前記第１ネットワークデバイスであることを確定し、又は前記端末デバイスがダウンリンク基準信号を測定する必要があることを確定することに用いられる。
【０１７７】
選択的に、前記送信モジュール４１０は具体的に、触発条件が満たされた時、前記アップリンクシーケンスを送信することに用いられ、前記触発条件は、受信モジュール４２０が前記ネットワークシステムにおける第６ネットワークデバイスの送信したダウンリンク信号を受信する受信電力は電力閾値より小さいという条件、前記第６ネットワークデバイスは前記端末デバイスのサービスセルのネットワークデバイス又は前記端末デバイスの滞在セルのネットワークデバイスを含むという条件、前記端末デバイスは前記第６ネットワークデバイスのプリセット領域に位置するという条件の中の少なくとも１種を含む。
【０１７８】
選択肢として、前記受信モジュール４２０は更に、前記アップリンクシーケンスの送信電力を指示するための電力情報を受信することに用いられ、前記送信モジュール４１０は具体的に、前記電力情報に基づき前記予め設定されたアップリンクシーケンスを送信することに用いられる。
【０１７９】
理解すべきなのは、ここの端末デバイス４００は機能モジュールの形式で現れる。ここでの用語「モジュール」は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つ又は複数のソフトウェア又はファームウェアプログラムを実行するためのプロセッサー（例えば共有プロセッサー、プロプライエタリプロセッサー又はグループプロセッサ等）及びメモリ、合併論理回路及び／又は説明した機能をサポートするその他の適切なモジュールを指してもよい。一つ選択可能な例において、当業者は、端末デバイス４００は具体的に上記実施例の通信方法における端末デバイスであってもよく、端末デバイス４００は上記方法の実施例における端末デバイスに対応する各フロー及び／又はステップを実行することに用いられることができると理解でき、繰り返しを避けるために、ここでは説明しない。
【０１８０】
図５は本発明の実施例による情報ネットワークデバイス５００を示す模式的なブロック図である。図５に示すように、該ネットワークデバイス５００は、
端末デバイスが送信した予め設定されたアップリンクシーケンスを受信することに用いられ、前記アップリンクシーケンスは前記端末デバイスがターゲットネットワークデバイスを確定する需要を有することを指示することに用いられる受信モジュール５１０、
前記アップリンクシーケンスに基づき前記端末デバイスへ第１ダウンリンクメッセージを送信することを確定し、前記端末デバイスの位置情報によってターゲットネットワークデバイスが前記第１ネットワークデバイスであることを確定した時に、前記第１ダウンリンクメッセージは前記第１ネットワークデバイスを識別することに用いられる処理モジュール５２０、及び
前記第１ダウンリンクメッセージを送信し、それによって、前記端末デバイスは前記第１ダウンリンクメッセージに基づき前記ターゲットネットワークデバイスが前記第１ネットワークデバイスであることを確定することに用いられる送信モジュール５３０を備える。
【０１８１】
選択肢として、前記処理モジュール５２０は更に、前記端末デバイスの位置情報を取得することに用いられる。
【０１８２】
選択肢として、前記処理モジュール５２０は具体的に、前記端末デバイスが送信した前記端末デバイスの実際の位置情報を取得し、前記実際の位置情報は前記端末デバイスの位置を指示することに用いられ、前記位置情報は前記実際の位置情報を含むことに用いられる。
【０１８３】
選択肢として、前記処理モジュール５２０は具体的に、複数の第２ネットワークデバイスが前記アップリンクシーケンスを受信する受信時刻及び／又は複数の第３ネットワークデバイスが前記アップリンクシーケンスを受信する経路損失を取得することによって、前記端末デバイスの参照位置情報を確定することに用いられ、前記位置情報は前記参照位置情報を含む。
【０１８４】
選択肢として、前記処理モジュール５２０が前記端末デバイスがダウンリンク基準信号を測定する必要があることを確定した時、前記第１ダウンリンクメッセージは前記端末デバイスが複数の第４ネットワークデバイスの各第４ネットワークデバイスが送信したダウンリンク基準信号を測定することを指示することに用いられる。
【０１８５】
選択肢として、前記複数の第４ネットワークデバイスは前記ネットワークデバイスを含み、前記送信モジュール５３０は更に、前記ダウンリンク基準信号を送信することに用いられる。
【０１８６】
選択肢として、前記受信モジュール５１０が前記端末デバイスの送信した前記予め設定されたアップリンクシーケンスを受信する前に、前記送信モジュール５３０は更に、第１密度で前記ダウンリンク基準信号を送信することに用いられ、前記受信モジュール５１０が前記端末デバイスの送信した前記予め設定されたアップリンクシーケンスを受信した後に、前記送信モジュール５３０は具体的に、第２密度で前記ダウンリンク基準信号を送信することに用いられ、前記第２密度は前記第１密度より大きい。
【０１８７】
選択肢として、前記受信モジュール５１０は更に、前記端末デバイスが送信した測定レポートを受信することに用いられ、前記測定レポートは前記端末デバイスが各第４ネットワークデバイスの送信した前記ダウンリンク基準信号を測定する測定結果を指示することに用いられる。
【０１８８】
前記処理モジュール５２０は具体的に、前記測定レポートに基づき前記ネットワークシステムにおける第７ネットワークデバイスが前記ターゲットネットワークデバイスであることを確定することに用いられる。
前記送信モジュール５３０は更に、前記端末デバイスへ第２ダウンリンクメッセージを送信することに用いられ、前記第２ダウンリンクメッセージは前記第７ネットワークデバイスを識別することに用いられ、それによって、前記端末デバイスは前記第１ダウンリンクメッセージに基づき前記第７ネットワークデバイスが前記ターゲットネットワークデバイスであることを確定する。
【０１８９】
選択肢として、前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられる。
【０１９０】
選択肢として、前記第１ダウンリンクメッセージは前記端末デバイスを指示するための指示情報を含み、それによって、アイドル状態の前記端末デバイスは前記指示情報によって前記第１ダウンリンクメッセージが前記端末デバイスに属することを確定する。
【０１９１】
選択肢として、前記指示情報は前記アップリンクシーケンス又は前記アップリンクシーケンスのインデックスを含む。
【０１９２】
選択肢として、前記受信モジュール５１０は更に、前記端末デバイスが送信した前記端末デバイスの位置を指示するための実際の位置情報を受信する時、前記指示情報は前記実際の位置情報を含み、又は前記端末デバイスが送信した前記端末デバイスを識別するための識別情報を受信する時、前記指示情報が前記識別情報を含むことに用いられる。
【０１９３】
選択肢として、前記送信モジュール５３０は更に、前記端末デバイスへ前記アップリンクシーケンスの送信電力を指示するための電力情報を送信することに用いられる。
【０１９４】
理解すべきなのは、ここでのネットワークデバイス５００は機能モジュールの形式で現れる。ここでの用語「モジュール」は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つ又は複数のソフトウェア又はファームウェアプログラムを実行するためのプロセッサー（例えば共有プロセッサー、プロプライエタリプロセッサー又はグループプロセッサ等）及びメモリ、合併論理回路及び／又は説明した機能をサポートする他の適切なモジュールを指してもよい。一つ選択可能な例において、当業者は、ネットワークデバイス５００は具体的に上記実施例におけるネットワークデバイス（又はネットワークシステム）であってもよく、ネットワークデバイスは上記方法の実施例におけるネットワークデバイスに対応する各フロー及び／又はステップを実行することに用いられることができると理解でき、繰り返しを避けるために、ここでは説明しない。
【０１９５】
図６は本発明の実施例による端末デバイス６００を示す模式的なブロック図である。図６に示すように、該端末デバイスはトランシーバ６１０、メモリ６２０及びプロセッサー６３０を備える。メモリ６２０は、プログラム命令を記憶することに用いられる。プロセッサー６３０はメモリ６２０に記憶されたプログラム命令をコールすることができる。プロセッサー６３０はトランシーバ６１０の情報送受信を制御することができ、選択肢として、端末デバイスはプロセッサー６３０、メモリ６２０及びトランシーバ６１０を互いに接続したバスシステム６４０を更に備え、
トランシーバ６１０は、予め設定されたアップリンクシーケンスを送信することに用いられ、前記アップリンクシーケンスは前記端末デバイスがターゲットネットワークデバイスを確定する需要を有することを指示することに用いられ、
トランシーバ６１０は更に前記ネットワークシステムが前記アップリンクシーケンスに基づき送信した第１ダウンリンクメッセージを受信することに用いられる。  
プロセッサー６３０はメモリ６２０に記憶されたプログラム命令をコールして、以下の操作を実行することに用いられる。
前記第１ダウンリンクメッセージが第１ネットワークデバイスを識別することに用いられる時、前記第１ダウンリンクメッセージに基づき前記ターゲットネットワークデバイスが前記第１ネットワークデバイスであることを確定し、前記第１ネットワークデバイスは前記ネットワークシステムが前記端末デバイスの位置情報によって確定したものである。
【０１９６】
選択肢として、前記位置情報は前記ネットワークシステムが受信した前記端末デバイスからの実際の位置情報を含み、前記実際の位置情報は前記端末デバイスの位置を指示することに用いられ、又は前記位置情報は前記ネットワークシステムが前記ネットワークシステムにおける複数の第２ネットワークデバイスが前記アップリンクシーケンスを受信する受信時刻及び／又は前記ネットワークシステムにおける複数の第３ネットワークデバイスが前記アップリンクシーケンスを受信する経路損失に基づき確定した前記端末デバイスの参照位置情報を含む。
【０１９７】
選択肢として、前記第１ダウンリンクメッセージは前記端末デバイスが前記ネットワークシステムにおける複数の第４ネットワークデバイスの各第４ネットワークデバイスが送信したダウンリンク基準信号を測定することを指示することに用いられる時、前記プロセッサー６３０は具体的に、各第４ネットワークデバイスが送信したダウンリンク基準信号を測定することによって、前記ターゲットネットワークデバイスを確定することに用いられる。
【０１９８】
選択肢として、前記トランシーバ６１０は予め設定されたアップリンクシーケンスを送信する前に、前記トランシーバ６１０は前記ネットワークシステムにおける複数の第５ネットワークデバイスが第１密度で送信した前記ダウンリンク基準信号を受信することに用いられ、
前記トランシーバ６１０は触発条件が満たされた時、前記アップリンクシーケンスを送信することに用いられ、
前記プロセッサー６３０は具体的に、各第４ネットワークデバイスが第２密度で送信した前記ダウンリンク基準信号を測定することによって、前記ターゲットネットワークデバイスを確定することに用いられ、前記第２密度は前記第１密度より大きい。
【０１９９】
選択肢として、前記プロセッサー６３０は更に、各第４ネットワークデバイスが送信したダウンリンク基準信号を測定し、且つ測定レポートを生成することに用いられ、前記トランシーバ６１０は更に、前記ネットワークシステムにおける第６ネットワークデバイスへ前記測定レポートを送信することに用いられ、前記第６ネットワークデバイスは前記端末デバイスのサービスセルのネットワークデバイスを含み、前記トランシーバ６１０は更に、前記第６ネットワークデバイスが前記測定レポートに基づき送信した第２ダウンリンクメッセージを受信することに用いられ、前記第２ダウンリンクメッセージは第７ネットワークデバイスを識別することに用いられ、前記プロセッサー６３０は具体的に、前記第２ダウンリンクメッセージに基づき前記第７ネットワークデバイスが前記ターゲットネットワークデバイスであることを確定することに用いられる。
【０２００】
選択肢として、前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられ、前記プロセッサー６３０は具体的に、前記リソース情報及び／又はパラメータ情報によって各第４ネットワークデバイスが送信したダウンリンク基準信号を測定し、それによって、前記ターゲットネットワークデバイスを確定することに用いられる。  
選択肢として、前記第１ダウンリンクメッセージは前記端末デバイスを指示するための指示情報を含み、それによって、アイドル状態の前記端末デバイスは前記指示情報によって前記第１ダウンリンクメッセージが前記端末デバイスに属することを確定する。
【０２０１】
選択肢として、前記指示情報は前記アップリンクシーケンス又は前記アップリンクシーケンスのインデックスを含む。
【０２０２】
選択肢として、前記トランシーバ６１０が前記ネットワークシステムが前記アップリンクシーケンスに基づき送信した第１ダウンリンクメッセージを受信する前に、前記トランシーバ６１０は更に、前記端末デバイスの位置を指示するための実際の位置情報を送信することに用いられ、前記指示情報は前記実際の位置情報を含み、及び／又は前記端末デバイスを識別するための識別情報を送信することに用いられ、前記指示情報は前記識別情報を含む。
【０２０３】
選択的に、トランシーバ６１０は前記端末デバイスの位置を指示するための実際の位置情報を送信し、それによって、前記ネットワークシステムは前記実際の位置情報に基づき前記ターゲットネットワークデバイスが前記第１ネットワークデバイスであることを確定し、又は前記端末デバイスがダウンリンク基準信号を測定する必要があることを確定する。
【０２０４】
選択肢として、前記トランシーバ６１０は具体的に、触発条件が満たされた時、前記アップリンクシーケンスを送信することに用いられ、前記触発条件は、トランシーバ６１０が前記ネットワークシステムにおける第６ネットワークデバイスが送信したダウンリンク信号を受信する受信電力は電力閾値より小さいという条件、前記第６ネットワークデバイスは前記端末デバイスのサービスセルのネットワークデバイス又は前記端末デバイスの滞在セルのネットワークデバイスを含むという条件、前記端末デバイスは前記第６ネットワークデバイスのプリセット領域に位置するという条件の中の少なくとも１種を含む。
【０２０５】
選択肢として、前記トランシーバ６１０は更に、前記アップリンクシーケンスの送信電力を指示するための電力情報を受信することに用いられ、前記トランシーバ６１０は具体的に、前記電力情報に基づき前記アップリンクシーケンスを送信することに用いられる。
【０２０６】
理解すべきなのは、端末デバイス６００は具体的に上記実施例における端末デバイスであってもよく、且つ上記方法実施例における端末デバイスの対応する各ステップ及び／又はフローを実行することに用いられることができる。選択肢として、該メモリ６２０は読み取り専用メモリ及びランダムアクセスメモリを含んでもよく、且つプロセッサーへ命令及びデータを提供する。メモリの一部は非揮発性ランダムアクセスメモリを含んでもよい。例えば、メモリにデバイスタイプの情報が記憶されてもよい。該プロセッサー６３０はメモリに記憶された命令を実行することに用いられることができ、且つ該プロセッサーは該命令を実行する時、該プロセッサーは上記方法実施例における端末デバイスに対応する各ステップを実行することができる。
【０２０７】
図７は本発明の実施例のネットワークデバイスを示す模式的なブロック図である。図７に示すように、前記ネットワークデバイスはトランシーバ７１０、メモリ７２０及びプロセッサー７３０を備える。メモリ７２０は、プログラム命令を記憶することに用いられる。プロセッサー７３０はメモリ７２０に記憶されたプログラム命令をコールすることができる。プロセッサー７３０はトランシーバ７１０の情報（信号）送受信を制御することができ、選択肢として、端末デバイスはプロセッサー７３０、メモリ７２０及びトランシーバ７１０を互いに接続したバスシステム７４０を更に備え、
トランシーバ７１０は、端末デバイスが送信した予め設定されたアップリンクシーケンスを受信することに用いられ、前記アップリンクシーケンスは前記端末デバイスがターゲットネットワークデバイスを確定する需要を有することを指示することに用いられ、
プロセッサー７３０は、前記アップリンクシーケンスに基づき前記端末デバイスへ第１ダウンリンクメッセージを送信することを確定し、前記プロセッサー７３０が前記端末デバイスの位置情報によってターゲットネットワークデバイスが前記第１ネットワークデバイスであることを確定した時、前記第１ダウンリンクメッセージは前記第１ネットワークデバイスを識別することに用いられる、
トランシーバ７１０は、前記第１ダウンリンクメッセージを送信することに用いられ、それによって、前記端末デバイスは前記第１ダウンリンクメッセージに基づき前記ターゲットネットワークデバイスが前記第１ネットワークデバイスであることを確定する。
【０２０８】
選択肢として、前記プロセッサー７３０は更に、前記端末デバイスの位置情報を取得することに用いられる。
【０２０９】
選択肢として、前記位置情報は前記端末デバイスが送信した前記端末デバイスの位置を指示するための実際の位置情報を含む。
【０２１０】
選択肢として、前記プロセッサー７３０は具体的に、複数の第２ネットワークデバイスが前記アップリンクシーケンスを受信する受信時刻及び／又は複数の第３ネットワークデバイスが前記アップリンクシーケンスを受信する経路損失を取得することによって、前記端末デバイスの参照位置情報を確定することに用いられ、前記位置情報は前記参照位置情報を含む。
【０２１１】
選択肢として、前記プロセッサー７３０が前記端末デバイスがダウンリンク基準信号を測定する需要があることを確定した時、前記第１ダウンリンクメッセージは前記端末デバイスが複数の第４ネットワークデバイスの各第４ネットワークデバイスが送信したダウンリンク基準信号を測定することを指示することに用いられる。
【０２１２】
選択肢として、前記複数の第４ネットワークデバイスは前記ネットワークデバイスを含み、前記トランシーバ７１０は更に、前記ダウンリンク基準信号を送信することに用いられる。
【０２１３】
選択肢として、前記トランシーバ７１０は前記端末デバイスの送信した前記予め設定されたアップリンクシーケンスを受信する前に、前記トランシーバ７１０は更に、第１密度で前記ダウンリンク基準信号を送信することに用いられ、前記トランシーバ７１０は前記端末デバイスの送信した前記予め設定されたアップリンクシーケンスを受信した後に、前記トランシーバ７１０は具体的に、第２密度で前記ダウンリンク基準信号を送信することに用いられ、前記第２密度は前記第１密度より大きい。
【０２１４】
選択肢として、前記トランシーバ７１０は更に、前記端末デバイスが送信した測定レポートを受信することに用いられ、前記測定レポートは前記端末デバイスが各第４ネットワークデバイスの送信した前記ダウンリンク基準信号を測定する測定結果を指示することに用いられ、前記プロセッサー７３０は具体的に、前記測定レポートに基づき前記ネットワークシステムにおける第７ネットワークデバイスが前記ターゲットネットワークデバイスであることを確定することに用いられ、前記トランシーバ７１０は更に、前記端末デバイスへ第２ダウンリンクメッセージを送信することに用いられ、前記第２ダウンリンクメッセージは前記第７ネットワークデバイスを識別することに用いられ、それによって、前記端末デバイスは前記第１ダウンリンクメッセージに基づき前記第７ネットワークデバイスが前記ターゲットネットワークデバイスであることを確定する。
【０２１５】
選択肢として、前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられる。
【０２１６】
選択肢として、前記第１ダウンリンクメッセージは前記端末デバイスを指示するための指示情報を含み、それによって、アイドル状態の前記端末デバイスは前記指示情報によって前記第１ダウンリンクメッセージが前記端末デバイスに属することを確定する。
【０２１７】
選択肢として、前記指示情報は前記アップリンクシーケンス又は前記アップリンクシーケンスのインデックスを含む。
【０２１８】
選択肢として、前記トランシーバ７１０は更に、前記端末デバイスが送信した前記端末デバイスの位置を指示するための実際の位置情報を受信することに用いられ、前記指示情報は前記実際の位置情報を含み、及び／又は前記端末デバイスが送信した前記端末デバイスを識別するための識別情報を受信することに用いられ、前記指示情報は前記識別情報を含む。
【０２１９】
選択肢として、前記トランシーバ７１０は更に、前記端末デバイスへ前記アップリンクシーケンスの送信電力を指示するための電力情報を送信することに用いられる。
【０２２０】
理解すべきなのは、ネットワークデバイス７００は具体的に上記実施例における第１ネットワークデバイス（又はネットワークシステムにおけるあるネットワークデバイス）であってもよく、且つ上記方法実施例における端末デバイスの対応する各ステップ及び／又はフローを実行することに用いられることができる。選択肢として、該メモリ７２０は読み取り専用メモリ及びランダムアクセスメモリを含んでもよく、且つプロセッサーへ命令及びデータを提供する。メモリの一部は非揮発性ランダムアクセスメモリを更に含んでもよい。例えば、メモリにデバイスタイプの情報が記憶されてもよい。該プロセッサー７３０はメモリに記憶された命令を実行することに用いられることができ、且つ該プロセッサーは該命令を実行する時、該プロセッサーは上記方法の実施例におけるネットワークデバイス（又はネットワークシステムにおけるあるネットワークデバイス）に対応する各ステップを実行することができる。
【０２２１】
本発明の実施例において、プロセッサーは中央プロセッサー（英語：ｃｅｎｔｒａｌ  ｐｒｏｃｅｓｓｉｎｇ  ｕｎｉｔ、  ＣＰＵ）、ネットワークプロセッサー（ｎｅｔｗｏｒｋ  ｐｒｏｃｅｓｓｏｒ、  ＮＰ）又はＣＰＵとＮＰとの組み合わせであってもよい。プロセッサーは更にハードウェアチップを含んでもよい。上記ハードウェアチップは特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、  ＡＳＩＣ）、プログラマブルロジックデバイス（ｐｒｏｇｒａｍｍａｂｌｅ  ｌｏｇｉｃ  ｄｅｖｉｃｅ、  ＰＬＤ）又はその組み合わせであってもよい。上記ＰＬＤは複雑なプログラマブルロジックデバイス（ｃｏｍｐｌｅｘ  ｐｒｏｇｒａｍｍａｂｌｅ  ｌｏｇｉｃ  ｄｅｖｉｃｅ、略語：ＣＰＬＤ）、フィールドプログラマブルゲートアレイ（ｆｉｅｌｄ−ｐｒｏｇｒａｍｍａｂｌｅ  ｇａｔｅ  ａｒｒａｙ、  ＦＰＧＡ）、汎用アレイロジック（ｇｅｎｅｒｉｃ  ａｒｒａｙ  ｌｏｇｉｃ、  ＧＡＬ）又はその任意の組み合わせであってもよい。
【０２２２】
該トランシーバは移動端末デバイスと他のデバイス又は通信ネットワークとの間の通信を実現することができる。  
該メモリは読み取り専用メモリ及びランダムアクセスメモリを含んでもよく、且つプロセッサー３２０へ命令及びデータを提供する。プロセッサーの一部は非揮発性ランダムアクセスメモリを更に含んでもよい。例えば、プロセッサーにデバイスタイプの情報が記憶されてもよい。
【０２２３】
該バスシステムはデータバスを含む以外、電源バス、制御バス及び状態信号バス等を含んでもよい。表示の便利のために、図面で一本の太い線でバスシステムを示すが、１本のバス又は１種のタイプのバスのみを有することを示すのではない。
【０２２４】
理解すべきなのは、本発明の実施例において、「Ａに対応するＢ」とはＢがＡに関連することを示し、ＡによってＢを確定することができる。しかしまた理解すべきなのは、ＡによってＢを確定するのは単にＡによってＢを確定することを意味せず、更にＡ及び／又はその他の情報によってＢを確定することができる。理解すべきなのは、本文における用語「及び／又は」は、単に関連オブジェクトを説明するための関連関係であり、三種の関係が存在してもよいことを示し、例えば、Ａ及び／又はＢは、単独にＡが存在し、同時にＡとＢが存在し、単独にＢが存在するという三種の場合を示すことができる。また、本文における記号「／」は、一般的に前後関連オブジェクトが「又は」の関係であることを示す。
【０２２５】
更に理解すべきなのは、本発明の様々な実施例において、上記各過程の番号は実行順序の前後を意味しなく、各過程の実行順序はその機能及び内部ロジックにより確定すべきもので、本発明の実施例の実施過程に対して如何なる制限もない。
【０２２６】
当業者は、本文に開示された実施例に記載の各例示のユニット及びアルゴリズムステップを組み合わせて、電子ハードウェア、又はコンピュータソフトウェア及び電子ハードウェアの組み合わせで実現することができることを認識することができる。これらの機能はハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【０２２７】
当業者は、便利且つ簡単に説明するために、上記に記載のシステム、装置及びユニットの具体的な作業過程は、上記方法の実施例における対応過程を参照することができ、ここで繰り返して説明しないことを明らかに了解する。
【０２２８】
本発明によるいくつかの実施例において、開示したシステム、装置及び方法は、その他の方式によって実現されることができることを理解すべきである。例えば以上のような装置実施例は単に例示的なものであり、例えば、前記ユニットの分割は、論理的な機能分割だけであり、実際に実現する時は別の分割方式があり、例えば、複数のユニット又は組立部品を結合してもよいし、又は別のシステムに集積してもよいし、又はいくつかの特徴を無視でき、又は実行しなくてもよい。尚、表示又は検討した相互間のカップリング、又は直接カップリング、又は通信接続はいくつかのインターフェース、装置又はユニットによる間接カップリング又は通信接続であってもよく、電気的、機械的又はその形式の接続であってもよい。
【０２２９】
上記の分離部材として説明したユニットは物理的に分離してもよいし、又は物理的に分離しなくてもよく、ユニットとして表示した部材は物理ユニットであってもよいし、又は物理ユニットではなくてもよく、即ち１つの場所に位置してもよいし、複数のネットワークユニットに分布してもよい。実際の需要に応じてその中の一部又は全部のユニットを選択して本実施例手段の目的を実現することができる。
【０２３０】
また、本発明の各実施例における各機能ユニットは１つの処理ユニットに集積されてもよいし、各ユニットは単独に物理的に存在してもよいし、２つ又は２つ以上のユニットが１つのユニットに集積されてもよい。
【０２３１】
以上のある実施例における技術的特徴及び説明は、出願書類を簡潔で明らかにするために、他の実施例に適用すると理解されてもよく、例えば方法実施例の技術特徴は装置実施例又は他の方法実施例に適用でき、他の実施例において一々説明しない。
【０２３２】
前記機能はソフトウェア機能ユニットの形式で実現するとともに独立した製品として販売又は使用される場合、1つのコンピュータ読み取り可能な記憶媒体に記憶されることができる。このような理解に基づいて、本発明の技術的解決手段は本質的或いは従来技術に貢献する部分は或いは該技術的解決手段の部分はソフトウェア製品の形式で表現することができ、該コンピュータソフトウェア製品が１つの記憶媒体に記憶され、一台のコンピュータ設備（パーソナルコンピュータ、サーバー、或いはネットワーク設備等であってもよい）が本発明の各実施例に記載の方法の全部又は一部を実行するための若干の指令を含む。前述の記憶媒体は、Ｕディスク、モバイルハードディスク、読み出し専用記憶装置（ＲＯＭ  Ｒｅａｄ−Ｏｎｌｙ  Ｍｅｍｏｒｙ）、ランダムアクセスメモリ（ＲＡＭ  Ｒａｎｄｏｍ  Ａｃｃｅｓｓ  Ｍｅｍｏｒｙ）、ディスク或いはＣＤ等の様々なプログラムコードを記憶できる媒体である。
【０２３３】
以上は、単に本発明の具体的な実施形態であるが、本発明の保護範囲はこれに限定されず、当業者は誰でも、本発明に開示された技術範囲において容易に想到しうる変化又は置換は、そのすべては本発明の保護範囲に含まれる。このため、本発明の保護範囲は請求項の範囲の保護範囲を基準とすべきである。
【図１】
2019531614.tif 000005
【図２】
2019531614.tif 000006
【図３】
2019531614.tif 000007
【図４】
2019531614.tif 000008
【図５】
2019531614.tif 000009
【図６】
2019531614.tif 000010
【図７】
2019531614.tif 000011
【手続補正書】
【提出日】令和1年9月3日(2019.9.3)
【手続補正１】
【補正対象書類名】明細書
【補正対象項目名】００８２
【補正方法】変更
【補正の内容】
【００８２】
また例えば、端末デバイスがアイドル状態にある時、ネットワークシステムにおける複数のネットワークデバイスは協議によって負荷最小のネットワークデバイスが端末デバイスへ該第１ダウンリンクメッセージを送信することを確定できる。更に、ネットワークシステムが端末デバイスの位置情報を取得できる場合、ネットワークシステムは端末デバイスの位置に基づき該第１ダウンリンクメッセージを送信するネットワークデバイスを確定できる。例えば、ネットワークシステムは該端末デバイスの位置に最も近いネットワークデバイスが該端末デバイスへ該第１ダウンリンクメッセージを送信することを確定できる。更に、該端末デバイスの位置に最も近いネットワークデバイスの負荷が高い場合、ネットワークシステムは該端末デバイスの位置に比較的に近接し且つ負荷の低いネットワークデバイスが該端末デバイスへ該第１ダウンリンクメッセージを送信することを確定できる。ネットワークシステムが該端末デバイスの位置情報に基づき、及び／又は、該ネットワークシステムにおける複数のネットワークデバイスの負荷量に基づき、前記端末デバイスへ該第１ダウンリンクメッセージを送信するネットワークデバイスがネットワークデバイスＡであると確定した時、ネットワークデバイスＡは端末デバイスへ第１ダウンリンクメッセージを送信する。
【手続補正２】
【補正対象書類名】明細書
【補正対象項目名】０１１０
【補正方法】変更
【補正の内容】
【０１１０】
場合二、
ネットワークシステムが前記アップリンクシーケンスを受信した後、端末デバイスが基準信号の測定を行う必要があると確定した時（言い換えると、ネットワークシステムがアップリンクシーケンスを受信した後、前記ターゲットネットワークデバイスを確定できない可能性がある）、この時ネットワークシステムは端末デバイスが基準信号の測定に基づいてターゲットネットワークデバイスを取得するように指示する必要がある。即ちネットワークシステムは前記端末デバイスに端末デバイスが前記ネットワークシステムにおける複数の第４ネットワークデバイスの中の各第４ネットワークデバイスの送信したダウンリンク基準信号を測定することを指示するための第１ダウンリンクメッセージを送信し、端末デバイスは前記第１ダウンリンクメッセージを受信した後各第４ネットワークデバイスが送信したダウンリンク基準信号を測定することによって、前記ターゲットネットワークデバイスを確定することができる。
【手続補正３】
【補正対象書類名】明細書
【補正対象項目名】０１４０
【補正方法】変更
【補正の内容】
【０１４０】
選択肢として、本発明の実施例において、前記端末デバイスが予め設定されたアップリンクシーケンスを送信することは、前記端末デバイスは触発条件が満たされた時、前記アップリンクシーケンスを送信することを含んでもよく、前記触発条件は、以下条件の中の少なくとも１種を含む。
【手続補正４】
【補正対象書類名】明細書
【補正対象項目名】０１４２
【補正方法】変更
【補正の内容】
【０１４２】
なお、条件１では第６ネットワークデバイスが送信したダウンリンク信号を受信する受信電力は電力閾値より小さいということは、第６ネットワークデバイスが第１密度で送信したダウンリンク基準信号を受信する受信電力が電力閾値より小さいことを含んでもよい。例えば、アイドル状態にある端末デバイスは滞在セルのネットワークデバイスが第１密度で送信したダウンリンク基準信号を検出し、該第１密度のダウンリンク基準信号の受信電力が受信閾値より小さいことを検出した場合、端末デバイスは該アップリンクシーケンスを送信することができ、ネットワークシステムは端末デバイスがターゲットネットワークデバイスを確定する需要を有することを知って、対応する操作を行うようにする。
【手続補正５】
【補正対象書類名】明細書
【補正対象項目名】０１５９
【補正方法】変更
【補正の内容】
【０１５９】
選択的に、前記通信方法は、前記ネットワークデバイスは前記端末デバイスが送信した測定レポートを受信し、前記測定レポートは前記端末デバイスが各第４ネットワークデバイスの送信した前記ダウンリンク基準信号を測定する測定結果を指示することに用いられることと、前記ネットワークデバイスは前記測定レポートに基づき前記ネットワークシステムにおける第７ネットワークデバイスが前記ターゲットネットワークデバイスであることを確定することと、前記ネットワークデバイスは前記端末デバイスへ第２ダウンリンクメッセージを送信し、前記第２ダウンリンクメッセージは前記第７ネットワークデバイスを識別することに用いられ、それによって、前記端末デバイスは前記第２ダウンリンクメッセージに基づき前記第７ネットワークデバイスが前記ターゲットネットワークデバイスであることを確定することとを更に含む。
【手続補正６】
【補正対象書類名】明細書
【補正対象項目名】０１７７
【補正方法】変更
【補正の内容】
【０１７７】
選択肢として、前記送信モジュール４１０は更に、前記端末デバイスの位置を指示するための実際の位置情報を送信することに用いられ、前記ネットワークシステムは前記実際の位置情報に基づき前記ターゲットネットワークデバイスが前記第１ネットワークデバイスであることを確定し、又は前記端末デバイスがダウンリンク基準信号を測定する必要があることを確定することに用いられる。
【手続補正７】
【補正対象書類名】明細書
【補正対象項目名】０１８９
【補正方法】変更
【補正の内容】
【０１８９】
前記処理モジュール５２０は具体的に、前記測定レポートに基づき前記ネットワークシステムにおける第７ネットワークデバイスが前記ターゲットネットワークデバイスであることを確定することに用いられる。
前記送信モジュール５３０は更に、前記端末デバイスへ第２ダウンリンクメッセージを送信することに用いられ、前記第２ダウンリンクメッセージは前記第７ネットワークデバイスを識別することに用いられ、それによって、前記端末デバイスは前記第２ダウンリンクメッセージに基づき前記第７ネットワークデバイスが前記ターゲットネットワークデバイスであることを確定する。
【手続補正８】
【補正対象書類名】明細書
【補正対象項目名】０２１５
【補正方法】変更
【補正の内容】
【０２１５】
選択肢として、前記トランシーバ７１０は更に、前記端末デバイスが送信した測定レポートを受信することに用いられ、前記測定レポートは前記端末デバイスが各第４ネットワークデバイスの送信した前記ダウンリンク基準信号を測定する測定結果を指示することに用いられ、前記プロセッサー７３０は具体的に、前記測定レポートに基づき前記ネットワークシステムにおける第７ネットワークデバイスが前記ターゲットネットワークデバイスであることを確定することに用いられ、前記トランシーバ７１０は更に、前記端末デバイスへ第２ダウンリンクメッセージを送信することに用いられ、前記第２ダウンリンクメッセージは前記第７ネットワークデバイスを識別することに用いられ、それによって、前記端末デバイスは前記第２ダウンリンクメッセージに基づき前記第７ネットワークデバイスが前記ターゲットネットワークデバイスであることを確定する。
【手続補正９】
【補正対象書類名】明細書
【補正対象項目名】０２２１
【補正方法】変更
【補正の内容】
【０２２１】
理解すべきなのは、ネットワークデバイス７００は具体的に上記実施例における第１ネットワークデバイス（又はネットワークシステムにおけるあるネットワークデバイス）であってもよく、且つ上記方法実施例におけるネットワークデバイスの対応する各ステップ及び／又はフローを実行することに用いられることができる。選択肢として、該メモリ７２０は読み取り専用メモリ及びランダムアクセスメモリを含んでもよく、且つプロセッサーへ命令及びデータを提供する。メモリの一部は非揮発性ランダムアクセスメモリを更に含んでもよい。例えば、メモリにデバイスタイプの情報が記憶されてもよい。該プロセッサー７３０はメモリに記憶された命令を実行することに用いられることができ、且つ該プロセッサーは該命令を実行する時、該プロセッサーは上記方法の実施例におけるネットワークデバイス（又はネットワークシステムにおけるあるネットワークデバイス）に対応する各ステップを実行することができる。
【手続補正１０】
【補正対象書類名】明細書
【補正対象項目名】０２２３
【補正方法】変更
【補正の内容】
【０２２３】
該トランシーバは移動端末デバイスと他のデバイス又は通信ネットワークとの間の通信を実現することができる。
該メモリは読み取り専用メモリ及びランダムアクセスメモリを含んでもよく、且つプロセッサー３２０へ命令及びデータを提供する。メモリの一部は非揮発性ランダムアクセスメモリを更に含んでもよい。例えば、メモリにデバイスタイプの情報が記憶されてもよい。
【手続補正１１】
【補正対象書類名】特許請求の範囲
【補正対象項目名】全文
【補正方法】変更
【補正の内容】
【特許請求の範囲】
【請求項１】
通信方法であって、前記通信方法は、
端末デバイスが予め設定されたアップリンクシーケンスを送信し、前記アップリンクシーケンスは前記端末デバイスがターゲットネットワークデバイスを確定する需要を有することを指示することに用いられること、
前記端末デバイスは前記ネットワークシステムが前記アップリンクシーケンスに基づき送信した第１ダウンリンクメッセージを受信すること、及び  
前記第１ダウンリンクメッセージが第１ネットワークデバイスを識別することに用いられる時、前記端末デバイスは前記第１ダウンリンクメッセージに基づき前記ターゲットネットワークデバイスが前記第１ネットワークデバイスであるのを確定し、前記第１ネットワークデバイスは前記ネットワークシステムが前記端末デバイスの位置情報によって確定したものであることを含むことを特徴とする通信方法。
【請求項２】
前記位置情報は前記ネットワークシステムが受信した前記端末デバイスからの実際の位置情報を含み、前記実際の位置情報は前記端末デバイスの位置を指示することに用いられ、又は
前記位置情報は前記ネットワークシステムが前記ネットワークシステムにおける複数の第２ネットワークデバイスが前記アップリンクシーケンスを受信する受信時刻及び／又は前記ネットワークシステムにおける複数の第３ネットワークデバイスが前記アップリンクシーケンスを受信する経路損失に基づき確定した前記端末デバイスの参照位置情報を含むことを特徴とする請求項１に記載の通信方法。
【請求項３】
前記第１ダウンリンクメッセージは前記端末デバイスが前記ネットワークシステムにおける複数の第４ネットワークデバイスの各第４ネットワークデバイスが送信したダウンリンク基準信号を測定することを指示することに用いられる時、
前記端末デバイスは各第４ネットワークデバイスが送信したダウンリンク基準信号を測定することによって、前記ターゲットネットワークデバイスを確定することを特徴とする請求項１に記載の通信方法。
【請求項４】
前記端末デバイスが予め設定されたアップリンクシーケンスを送信する前に、前記通信方法は、
前記端末デバイスは前記ネットワークシステムにおける少なくとも１つの第５ネットワークデバイスが第１密度で送信した前記ダウンリンク基準信号を受信することを更に含み、
前記端末デバイスが予め設定されたアップリンクシーケンスを送信することは、
前記端末デバイスは触発条件が満たされた時、前記アップリンクシーケンスを送信することを含み、
前記端末デバイスは各第４ネットワークデバイスが送信したダウンリンク基準信号を測定することによって、前記ターゲットネットワークデバイスを確定することは、
前記端末デバイスは各第４ネットワークデバイスが第２密度で送信した前記ダウンリンク基準信号を測定することによって、前記ターゲットネットワークデバイスを確定し、前記第２密度は前記第１密度より大きいことを含むことを特徴とする請求項３に記載の通信方法。
【請求項５】
前記端末デバイスは各第４ネットワークデバイスが送信したダウンリンク基準信号を測定することによって、前記ターゲットネットワークデバイスを確定することは、
前記端末デバイスは各第４ネットワークデバイスが送信したダウンリンク基準信号を測定し、且つ測定レポートを生成することと、
前記端末デバイスは前記ネットワークシステムにおける第６ネットワークデバイスへ前記測定レポートを送信し、前記第６ネットワークデバイスは前記端末デバイスのサービスセルを制御することに用いられることと、
前記端末デバイスは前記第６ネットワークデバイスが前記測定レポートに基づき送信した第２ダウンリンクメッセージを受信し、前記第２ダウンリンクメッセージは第７ネットワークデバイスを識別することに用いられることと、
前記端末デバイスは前記第２ダウンリンクメッセージに基づき前記第７ネットワークデバイスが前記ターゲットネットワークデバイスであることを確定することと、を含むことを特徴とする請求項３又は４に記載の通信方法。
【請求項６】
前記第１ダウンリンクメッセージはリソース情報及び／又はパラメータ情報を含み、前記リソース情報は各第４ネットワークデバイスが前記ダウンリンク基準信号を送信する際に占用したリソースを指示することに用いられ、前記パラメータ情報は各第４ネットワークデバイスが前記ダウンリンク基準信号を送信するパラメータを指示することに用いられ、
前記端末デバイスは各第４ネットワークデバイスが送信したダウンリンク基準信号を測定することによって、前記ターゲットネットワークデバイスを確定することは、
前記端末デバイスが前記リソース情報及び／又はパラメータ情報によって各第４ネットワークデバイスが送信したダウンリンク基準信号を測定し、前記ターゲットネットワークデバイスを確定するようにすることを含むことを特徴とする請求項３〜５のいずれかに記載の通信方法。
【請求項７】
前記第１ダウンリンクメッセージは前記端末デバイスを指示するための指示情報を含み、アイドル状態の前記端末デバイスは前記指示情報によって前記第１ダウンリンクメッセージが前記端末デバイスに属することを確定するようにすることを特徴とする請求項１〜６のいずれかに記載の通信方法。
【請求項８】
前記指示情報は前記アップリンクシーケンス又は前記アップリンクシーケンスのインデックスを含むことを特徴とする請求項７に記載の通信方法。
【請求項９】
前記端末デバイスが前記ネットワークシステムが前記アップリンクシーケンスに基づき送信した第１ダウンリンクメッセージを受信する前に、前記通信方法は、
前記端末デバイスは前記端末デバイスの位置を指示するための実際の位置情報を送信し、前記指示情報は前記実際の位置情報を含むこと、及び／又は
前記端末デバイスは前記端末デバイスを識別するための識別情報を送信し、前記指示情報は前記識別情報を含むことを更に含むことを特徴とする請求項７又は８に記載の通信方法。
【請求項１０】
前記位置情報は実際の位置情報を含み、前記通信方法は、前記端末デバイスは前記端末デバイスの位置を指示するための実際の位置情報を送信し、前記ネットワークシステムは前記実際の位置情報に基づき前記ターゲットネットワークデバイスが前記第１ネットワークデバイスであることを確定し又は前記端末デバイスがダウンリンク基準信号を測定する必要があることを確定するようにすることを更に含むことを特徴とする請求項１〜８のいずれかに記載の通信方法。
【請求項１１】
前記端末デバイスが予め設定されたアップリンクシーケンスを送信することは、
前記端末デバイスは触発条件が満たされた時、前記アップリンクシーケンスを送信することを含み、前記触発条件は、
前記ネットワークシステムにおける第６ネットワークデバイスが送信したダウンリンク信号を受信する受信電力は電力閾値より小さいという条件、前記第６ネットワークデバイスは前記端末デバイスのサービスセルのネットワークデバイス又は前記端末デバイスの滞在セルのネットワークデバイスを含むという条件、及び
前記第６ネットワークデバイスのプリセット領域に位置するという条件の中の少なくとも１種を含むことを特徴とする請求項１〜１０のいずれかに記載の通信方法。
【請求項１２】
前記通信方法は、
前記端末デバイスは前記アップリンクシーケンスの送信電力を指示するための電力情報を受信することを更に含み、
前記端末デバイスが予め設定されたアップリンクシーケンスを送信することは、
前記端末デバイスは前記電力情報に基づき前記アップリンクシーケンスを送信することを含むことを特徴とする請求項１〜１１のいずれかに記載の通信方法。
【請求項１３】
通信方法であって、前記通信方法は、
ネットワークデバイスは端末デバイスが送信した予め設定されたアップリンクシーケンスを受信し、前記アップリンクシーケンスは前記端末デバイスがターゲットネットワークデバイスを確定する需要を有することを指示することに用いられることと、
前記ネットワークデバイスは前記アップリンクシーケンスに基づき前記端末デバイスへ第１ダウンリンクメッセージを送信することを確定し、前記ネットワークデバイスが前記端末デバイスの位置情報によってターゲットネットワークデバイスが前記第１ネットワークデバイスであることを確定した時に、前記第１ダウンリンクメッセージは前記第１ネットワークデバイスを識別することに用いられることと、
前記ネットワークデバイスは前記第１ダウンリンクメッセージを送信し、前記端末デバイスは前記第１ダウンリンクメッセージに基づき前記ターゲットネットワークデバイスが前記第１ネットワークデバイスであることを確定するようにすることと、を含むことを特徴とする通信方法。
【請求項１４】
前記通信方法は、
前記ネットワークデバイスが前記端末デバイスの位置情報を取得することを更に含むことを特徴とする請求項１３に記載の通信方法。
【請求項１５】
端末デバイスであって、前記端末デバイスは、トランシーバ、メモリ、及びプロセッサーを備え、前記メモリはプログラム命令を記憶することに用いられ、前記プロセッサーは前記メモリに記憶される命令を実行し前記トランシーバが情報を受信又は送信することを制御することに用いられ、前記プロセッサーは前記メモリに記憶される命令を実行する際に、前記プロセッサーは請求項１〜１２のいずれかに記載の通信方法を実行する端末デバイス。
【国際調査報告】
2019531614.tif 000012
2019531614.tif 000013
2019531614.tif 000014
2019531614.tif 000015